(57)【要約】【課題】  アナログおよびデジタル放送のチャンネル（ＣＨ）をシームレスに切替える。【解決手段】  デジタル放送抽出中かつ切替方向指示受付時、アナログＣＨマップで示される順に従った抽出中ＣＨの切替方向の次ＣＨ番号（アナログ番号）と、デジタルＣＨマップで示される順に従った抽出中ＣＨの切替方向の次ＣＨ番号（デジタル番号）とのいずれが、抽出中のＣＨ番号（抽出中番号）に近いかが判断され（Ｓ１２１〜１２３，Ｓ２２２，２２３）、アナログ番号が近い場合（Ｓ１２４Ｎ）アナログ番号のＣＨに切替えられ（Ｓ２２７）、デジタル番号が近い場合（Ｓ１２４Ｙ）デジタル番号のＣＨに切替えら（Ｓ１２６）、アナログ放送抽出中かつ切替方向指示受付時、デジタル番号とアナログ番号とのいずれが、抽出中番号に近いかが判断され、デジタル番号が近い場合デジタル番号のＣＨに切替えられ、アナログ番号が近い場合アナログ番号のＣＨに切替えられる。【選択図】        図３
2006295696.tif 000002
【特許請求の範囲】
【請求項１】
チャンネルを切替えて、外部から入力された複数のチャンネルのそれぞれに対応する放送信号のうちから、切替えたチャンネルに対応する放送信号を抽出するチューナと、
前記チューナによって抽出されたデジタル放送信号を出力信号に変換して、変換した出力信号を出力するデジタル放送受信用ブロックと、
前記チューナによって抽出されたアナログ放送信号を出力信号に変換して、変換した出力信号を出力するアナログ放送受信用ブロックと、
前記デジタル放送受信用ブロックを制御するデジタル制御部と、
前記アナログ放送受信用ブロックを制御するアナログ制御部と、
前記デジタル制御部に備えられ、デジタル放送の各チャンネルがそれぞれに予め割振られた番号の順に並べられたデジタルチャンネルマップを予め記憶するデジタル記憶手段と、
前記アナログ制御部に備えられ、アナログ放送の各チャンネルがそれぞれに予め割振られた番号の順に並べられたアナログチャンネルマップを予め記憶するアナログ記憶手段と、
前記チャンネルの切替方向の指示を受付ける切替指示受付手段と、
前記デジタル制御部に備えられ、前記切替指示受付手段によって前記切替方向の指示が受付けられたときに、前記チューナによってデジタル放送信号の抽出中である場合、前記アナログ記憶手段に記憶されているアナログチャンネルマップで示される順に従った抽出中のチャンネルの前記切替方向の次のチャンネルの番号であるアナログ番号を前記アナログ制御部に問合わせるアナログ問合手段と、
前記アナログ制御部に備えられ、前記アナログ問合手段から問合わせられたアナログ番号を前記デジタル制御部に送信するアナログ送信手段と、
前記デジタル制御部に備えられ、前記アナログ送信手段によって送信されたアナログ番号と、前記デジタル記憶手段に記憶されているデジタルチャンネルマップで示される順に従った抽出中のチャンネルの前記切替方向の次のチャンネルの番号であるデジタル番号とのいずれが、抽出中のチャンネルの番号である抽出中番号に近いかを判断するデジタル判断手段と、
前記アナログ制御部に備えられ、前記デジタル判断手段によって前記アナログ番号が近いと判断された場合、前記チューナを制御して、前記アナログ番号のチャンネルに切替えるデジタル抽出時アナログ切替制御手段と、
前記デジタル抽出時アナログ切替制御手段によって前記アナログ番号のチャンネルに切替えられたときに、前記デジタル放送受信用ブロックを省電力の状態に移行させるデジタル抽出時デジタル省電力手段と、
前記デジタル制御部に備えられ、前記デジタル判断手段によって前記デジタル番号が近いと判断された場合、前記チューナを制御して、前記デジタル番号のチャンネルに切替えるデジタル抽出時デジタル切替制御手段と、
前記デジタル抽出時デジタル切替制御手段によって前記デジタル番号のチャンネルに切替えられたときに、前記アナログ放送受信用ブロックを省電力の状態に移行させるデジタル抽出時アナログ省電力手段と、
前記アナログ制御部に備えられ、前記切替指示受付手段によって前記切替方向の指示が受付けられたときに、前記チューナによってアナログ放送信号の抽出中である場合、前記デジタル番号を前記デジタル制御部に問合わせるデジタル問合手段と、
前記デジタル制御部に備えられ、前記デジタル問合手段から問合わせられたデジタル番号を前記アナログ制御部に送信するデジタル送信手段と、
前記アナログ制御部に備えられ、前記デジタル送信手段によって送信されたデジタル番号と、前記アナログ番号とのいずれが、前記抽出中番号に近いかを判断するアナログ判断手段と、
前記デジタル制御部に備えられ、前記アナログ判断手段によって前記デジタル番号が近いと判断された場合、前記チューナを制御して、前記デジタル番号のチャンネルに切替えるアナログ抽出時デジタル切替制御手段と、
前記アナログ抽出時デジタル切替制御手段によって前記デジタル番号のチャンネルに切替えられたときに、前記アナログ放送受信用ブロックを省電力の状態に移行させるアナログ抽出時アナログ省電力手段と、
前記アナログ制御部に備えられ、前記アナログ判断手段によって前記アナログ番号が近いと判断された場合、前記チューナを制御して、前記アナログ番号のチャンネルに切替えるアナログ抽出時アナログ切替制御手段と、
前記アナログ抽出時アナログ切替制御手段によって前記アナログ番号のチャンネルに切替えられたときに、前記デジタル放送受信用ブロックを省電力の状態に移行させるアナログ抽出時デジタル省電力手段とを備える、放送受信装置。
【請求項２】
チャンネルを切替えて、外部から入力された複数のチャンネルのそれぞれに対応する放送信号のうちから、切替えたチャンネルに対応する放送信号を抽出する放送信号抽出部と、
前記放送信号抽出部によって抽出されたデジタル放送信号を出力信号に変換して、変換した出力信号を出力するデジタル信号変換部と、
前記放送信号抽出部によって抽出されたアナログ放送信号を出力信号に変換して、変換した出力信号を出力するアナログ信号変換部と、
前記デジタル信号変換部を制御するデジタル制御部と、
前記アナログ信号変換部を制御するアナログ制御部と、
前記デジタル制御部に備えられ、デジタル放送の各チャンネルがそれぞれに予め割振られた番号の順に並べられたデジタルチャンネルマップを予め記憶するデジタル記憶手段と、
前記アナログ制御部に備えられ、アナログ放送の各チャンネルがそれぞれに予め割振られた番号の順に並べられたアナログチャンネルマップを予め記憶するアナログ記憶手段と、
前記チャンネルの切替方向の指示を受付ける切替指示受付手段と、
前記デジタル制御部に備えられ、前記切替指示受付手段によって前記切替方向の指示が受付けられたときに、前記放送信号抽出部によってデジタル放送信号の抽出中である場合、前記アナログ記憶手段に記憶されているアナログチャンネルマップで示される順に従った抽出中のチャンネルの前記切替方向の次のチャンネルの番号であるアナログ番号と、前記デジタル記憶手段に記憶されているデジタルチャンネルマップで示される順に従った抽出中のチャンネルの前記切替方向の次のチャンネルの番号であるデジタル番号とのいずれが、抽出中のチャンネルの番号である抽出中番号に近いかを判断するデジタル判断手段と、
前記アナログ制御部に備えられ、前記デジタル判断手段によって前記アナログ番号が近いと判断された場合、前記放送信号抽出部を制御して、前記アナログ番号のチャンネルに切替えるデジタル抽出時アナログ切替制御手段と、
前記デジタル制御部に備えられ、前記デジタル判断手段によって前記デジタル番号が近いと判断された場合、前記放送信号抽出部を制御して、前記デジタル番号のチャンネルに切替えるデジタル抽出時デジタル切替制御手段と、
前記アナログ制御部に備えられ、前記切替指示受付手段によって前記切替方向の指示が受付けられたときに、前記放送信号抽出部によってアナログ放送信号の抽出中である場合、前記デジタル番号と、前記アナログ番号とのいずれが、前記抽出中番号に近いかを判断するアナログ判断手段と、
前記デジタル制御部に備えられ、前記アナログ判断手段によって前記デジタル番号が近いと判断された場合、前記放送信号抽出部を制御して、前記デジタル番号のチャンネルに切替えるアナログ抽出時デジタル切替制御手段と、
前記アナログ制御部に備えられ、前記アナログ判断手段によって前記アナログ番号が近いと判断された場合、前記放送信号抽出部を制御して、前記アナログ番号のチャンネルに切替えるアナログ抽出時アナログ切替制御手段とを備える、放送受信装置。
【請求項３】
前記デジタル判断手段は、前記アナログ番号を前記アナログ制御部に問合わせるアナログ問合手段を含み、
前記アナログ判断手段は、前記デジタル番号を前記デジタル制御部に問合わせるデジタル問合手段を含み、
前記アナログ制御部に備えられ、前記アナログ問合手段から問合わせられたアナログ番号を前記デジタル制御部に送信するアナログ送信手段と、
前記デジタル制御部に備えられ、前記デジタル問合手段から問合わせられたデジタル番号を前記アナログ制御部に送信するデジタル送信手段とをさらに備え、
前記デジタル判断手段は、前記アナログ送信手段によって送信されたアナログ番号と、前記デジタル番号とのいずれが抽出中番号に近いかを判断し、
前記アナログ判断手段は、前記デジタル送信手段によって送信されたデジタル番号と、前記アナログ番号とのいずれが抽出中番号に近いかを判断する、請求項２に記載の放送受信装置。
【請求項４】
前記デジタル抽出時アナログ切替制御手段によって前記アナログ番号のチャンネルに切替えられたときに、前記デジタル信号変換部を省電力の状態に移行させるデジタル抽出時デジタル省電力手段と、
前記デジタル抽出時デジタル切替制御手段によって前記デジタル番号のチャンネルに切替えられたときに、前記アナログ信号変換部を省電力の状態に移行させるデジタル抽出時アナログ省電力手段と、
前記アナログ抽出時デジタル切替制御手段によって前記デジタル番号のチャンネルに切替えられたときに、前記アナログ信号変換部を省電力の状態に移行させるアナログ抽出時アナログ省電力手段と、
前記アナログ抽出時アナログ切替制御手段によって前記アナログ番号のチャンネルに切替えられたときに、前記デジタル信号変換部を省電力の状態に移行させるアナログ抽出時デジタル省電力手段とをさらに備える、請求項２または請求項３に記載の放送受信装置。
【請求項５】
請求項１から請求項４までのいずれかに記載の放送受信装置と、前記デジタル信号変換部または前記アナログ信号変換部から出力された出力信号で示される情報を出力する出力装置とを備える、放送受像装置。
【請求項６】
前記放送信号抽出部は、チューナであり、前記デジタル信号変換部は、デジタル放送受信用ブロックであり、前記アナログ信号変換部は、アナログ放送受信用ブロックである、請求項２から請求項４までのいずれかに記載の放送受信装置、または、請求項５に記載の放送受像装置。
【請求項７】
チャンネルを切替えて、外部から入力された複数のチャンネルのそれぞれに対応する放送信号のうちから、切替えたチャンネルに対応する放送信号を抽出する放送信号抽出部と、前記放送信号抽出部によって抽出されたデジタル放送信号を出力信号に変換して、変換した出力信号を出力するデジタル信号変換部と、前記放送信号抽出部によって抽出されたアナログ放送信号を出力信号に変換して、変換した出力信号を出力するアナログ信号変換部と、前記デジタル信号変換部を制御するデジタル制御部と、前記アナログ信号変換部を制御するアナログ制御部とを有する放送受信装置でチャンネルを切替えるチャンネル切替方法であって、
前記デジタル制御部は、デジタル放送の各チャンネルがそれぞれに予め割振られた番号の順に並べられたデジタルチャンネルマップを予め記憶しており、
前記アナログ制御部は、アナログ放送の各チャンネルがそれぞれに予め割振られた番号の順に並べられたアナログチャンネルマップを予め記憶しており、
前記チャンネルの切替方向の指示を受付けるステップと、
前記デジタル制御部が、前記切替方向の指示が受付けられたときに、前記放送信号抽出部によってデジタル放送信号の抽出中である場合、前記アナログチャンネルマップで示される順に従った抽出中のチャンネルの前記切替方向の次のチャンネルの番号であるアナログ番号と、前記デジタルチャンネルマップで示される順に従った抽出中のチャンネルの前記切替方向の次のチャンネルの番号であるデジタル番号とのいずれが、抽出中のチャンネルの番号である抽出中番号に近いかを判断するステップと、
前記アナログ制御部が、前記アナログ番号が近いと判断された場合、前記放送信号抽出部を制御して、前記アナログ番号のチャンネルに切替えるステップと、
前記デジタル制御部が、前記デジタル番号が近いと判断された場合、前記放送信号抽出部を制御して、前記デジタル番号のチャンネルに切替えるステップと、
前記アナログ制御部が、前記切替方向の指示が受付けられたときに、前記放送信号抽出部によってアナログ放送信号の抽出中である場合、前記デジタル番号と、前記アナログ番号とのいずれが、前記抽出中番号に近いかを判断するステップと、
前記デジタル制御部が、前記デジタル番号が近いと判断された場合、前記放送信号抽出部を制御して、前記デジタル番号のチャンネルに切替えるステップと、
前記アナログ制御部が、前記アナログ番号が近いと判断された場合、前記放送信号抽出部を制御して、前記アナログ番号のチャンネルに切替えるステップとを含む、チャンネル切替方法。
【発明の詳細な説明】
【技術分野】
【０００１】
本発明は、放送受信装置、放送受像装置、および、チャンネル切替方法に関し、特に、アナログ放送とデジタル放送とを受信するのに適した放送受信装置、放送受像装置、および、チャンネル切替方法に関する。
【背景技術】
【０００２】
従来、アナログ放送およびデジタル放送の両方を受信できるＳＴＢ（Set Top Box）やテレビは、チャンネルを切替えるときに、アナログ放送を受信するか、デジタル放送を受信するかを、まず切替えてから、チャンネルを切替えるように構成されていた。
【０００３】
たとえば、チャンネル番号が９のアナログ放送チャンネルから、チャンネル番号が１０−１のデジタル放送チャンネルに、チャンネルを切替えるときには、一旦、デジタル放送を受信するモードに切替えた後に、チャンネル番号が１０−１のチャンネルに切替えていた。
【０００４】
このような、アナログ受信用のブロックと、デジタル受信用のブロックとを切替えて、アナログ放送またはデジタル放送を受信するＳＴＢやテレビにおいて、両方のブロックのうち用いられてないブロックへの電力の供給を停止するものはなかった。
【０００５】
特許文献１には、複数ブロックを同時に動作させるグループに区分し、グループ単位で電源供給を制御する記録再生装置が開示されている（たとえば、特許文献１の第００２０段落および第００２３段落参照）。
【０００６】
特許文献２には、テレビジョンチューナにチューナ本体とチューナ本体にバンド切替電圧と電源電圧を供給するバンドデコーダを備え、チューナの不動作時にチューナ本体への電源供給を停止するテレビジョンチューナが開示されている（たとえば、特許文献２の第００２６段落参照）。
【０００７】
特許文献３には、チューナフリクションがキースイッチやリモコンにより選択されていないとき、チューナブロックの電源をオフにする音声再生装置が開示されている（たとえば、特許文献３の第００２７段落参照）。
【０００８】
特許文献４には、受信可能または不可能のフラグ出力、選局、および、デジタル変調信号の復調等を備えたフロントエンドと、映像または音声の再生を行なうバックエンドとから構成され、受信状態が悪く、フロントエンドが完全エラーフリーでない場合に、フロントエンド以外のブロックへの電源経路を遮断する地上波デジタル放送用受信機が開示されている（たとえば、特許文献４の第００２８段落および第００３３段落参照）。
【特許文献１】特開平４−３２４７７３号公報
【特許文献２】特開２０００−２９９８２６号公報
【特許文献３】特開２００２−３５２５７０号公報
【特許文献４】特開２００３−１１０９６３号公報
【発明の開示】
【発明が解決しようとする課題】
【０００９】
しかし、従来のアナログ放送およびデジタル放送の両方を受信できるＳＴＢやテレビにおいては、アナログチャンネルとデジタルチャンネルとをシームレスに切替えることができないといった問題があった。つまり、上述したように、一旦、デジタル放送を受信するモード、および、アナログ放送を受信するモードのいずれかに切替える必要があった。
【００１０】
また、上述したように、アナログ受信用のブロックと、デジタル受信用のブロックのうち、用いられていないブロックへの電力の供給を停止するものはなかった。
【００１１】
この発明は上述の問題点を解決するためになされたもので、この発明の目的の１つは、アナログ放送およびデジタル放送のチャンネルをシームレスに切替えることが可能な放送受信装置、放送受像装置、および、チャンネル切替方法を提供することである。
【００１２】
この発明の他の目的は、アナログ放送の信号を変換する部分またはデジタル放送の信号を変換する部分のうち用いられていない部分の省電力をすることが可能な放送受信装置、放送受像装置、および、チャンネル切替方法を提供することである。
【課題を解決するための手段】
【００１３】
上述した課題を解決するために、この発明のある局面に従えば、放送受信装置は、放送信号抽出部と、デジタル信号変換部と、アナログ信号変換部と、デジタル制御部と、アナログ制御部とを備える。
【００１４】
放送信号抽出部は、チャンネルを切替えて、外部から入力された複数のチャンネルのそれぞれに対応する放送信号のうちから、切替えたチャンネルに対応する放送信号を抽出する。デジタル信号変換部は、放送信号抽出部によって抽出されたデジタル放送信号を出力信号に変換して、変換した出力信号を出力する。アナログ信号変換部は、放送信号抽出部によって抽出されたアナログ放送信号を出力信号に変換して、変換した出力信号を出力する。デジタル制御部は、デジタル信号変換部を制御する。アナログ制御部は、アナログ信号変換部を制御する。
【００１５】
また、放送受信装置は、切替指示受付部をさらに備える。放送受信装置のデジタル制御部は、デジタル記憶部と、デジタル判断部と、デジタル抽出時デジタル切替制御部と、アナログ抽出時デジタル切替制御部とを備える。放送受信装置のアナログ制御部は、アナログ記憶部と、アナログ判断部と、デジタル抽出時アナログ切替制御部と、アナログ抽出時アナログ切替制御部とを備える。
【００１６】
デジタル記憶部は、デジタル放送の各チャンネルがそれぞれに予め割振られた番号の順に並べられたデジタルチャンネルマップを予め記憶する。アナログ記憶部は、アナログ放送の各チャンネルがそれぞれに予め割振られた番号の順に並べられたアナログチャンネルマップを予め記憶する。切替指示受付部は、チャンネルの切替方向の指示を受付ける。
【００１７】
デジタル判断部は、切替指示受付部によって切替方向の指示が受付けられたときに、放送信号抽出部によってデジタル放送信号の抽出中である場合、アナログ記憶部に記憶されているアナログチャンネルマップで示される順に従った抽出中のチャンネルの切替方向の次のチャンネルの番号であるアナログ番号と、デジタル記憶部に記憶されているデジタルチャンネルマップで示される順に従った抽出中のチャンネルの切替方向の次のチャンネルの番号であるデジタル番号とのいずれが、抽出中のチャンネルの番号である抽出中番号に近いかを判断する。
【００１８】
デジタル抽出時アナログ切替制御部は、デジタル判断部によってアナログ番号が近いと判断された場合、放送信号抽出部を制御して、アナログ番号のチャンネルに切替える。デジタル抽出時デジタル切替制御部は、デジタル判断部によってデジタル番号が近いと判断された場合、放送信号抽出部を制御して、デジタル番号のチャンネルに切替える。
【００１９】
アナログ判断部は、切替指示受付部によって切替方向の指示が受付けられたときに、放送信号抽出部によってアナログ放送信号の抽出中である場合、デジタル番号と、アナログ番号とのいずれが、抽出中番号に近いかを判断する。
【００２０】
アナログ抽出時デジタル切替制御部は、アナログ判断部によってデジタル番号が近いと判断された場合、放送信号抽出部を制御して、デジタル番号のチャンネルに切替える。アナログ抽出時アナログ切替制御部は、アナログ判断部によってアナログ番号が近いと判断された場合、放送信号抽出部を制御して、アナログ番号のチャンネルに切替える。
【００２１】
好ましくは、デジタル判断部は、アナログ番号をアナログ制御部に問合わせるアナログ問合部を含む。アナログ判断部は、デジタル番号をデジタル制御部に問合わせるデジタル問合部を含む。アナログ制御部は、アナログ問合部から問合わせられたアナログ番号をデジタル制御部に送信するアナログ送信部を備える。デジタル制御部は、デジタル問合部から問合わせられたデジタル番号をアナログ制御部に送信するデジタル送信部を備える。
【００２２】
デジタル判断部は、アナログ送信部によって送信されたアナログ番号と、デジタル番号とのいずれが抽出中番号に近いかを判断する。アナログ判断部は、デジタル送信部によって送信されたデジタル番号と、アナログ番号とのいずれが抽出中番号に近いかを判断する。
【００２３】
さらに好ましくは、放送受信装置は、デジタル抽出時デジタル省電力部と、デジタル抽出時アナログ省電力部と、アナログ抽出時アナログ省電力部と、アナログ抽出時デジタル省電力部とをさらに備える。
【００２４】
デジタル抽出時デジタル省電力部は、デジタル抽出時アナログ切替制御部によってアナログ番号のチャンネルに切替えられたときに、デジタル信号変換部を省電力の状態に移行させる。デジタル抽出時アナログ省電力部は、デジタル抽出時デジタル切替制御部によってデジタル番号のチャンネルに切替えられたときに、アナログ信号変換部を省電力の状態に移行させる。
【００２５】
アナログ抽出時アナログ省電力部は、アナログ抽出時デジタル切替制御部によってデジタル番号のチャンネルに切替えられたときに、アナログ信号変換部を省電力の状態に移行させる。アナログ抽出時デジタル省電力部は、アナログ抽出時アナログ切替制御部によってアナログ番号のチャンネルに切替えられたときに、デジタル信号変換部を省電力の状態に移行させる。
【００２６】
この発明の他の局面によれば、放送受像装置は、放送受信装置と、デジタル信号変換部またはアナログ信号変換部から出力された出力信号で示される情報を出力する出力装置とを備える。
【００２７】
好ましくは、放送受信装置または放送受像装置において、放送信号抽出部は、チューナであり、デジタル信号変換部は、デジタル放送受信用ブロックであり、アナログ信号変換部は、アナログ放送受信用ブロックである。
【００２８】
この発明のさらに他の局面によれば、チャンネル切替方法は、放送受信装置でチャンネルを切替える方法である。放送受信装置は、チャンネルを切替えて、外部から入力された複数のチャンネルのそれぞれに対応する放送信号のうちから、切替えたチャンネルに対応する放送信号を抽出する放送信号抽出部と、放送信号抽出部によって抽出されたデジタル放送信号を出力信号に変換して、変換した出力信号を出力するデジタル信号変換部と、放送信号抽出部によって抽出されたアナログ放送信号を出力信号に変換して、変換した出力信号を出力するアナログ信号変換部と、デジタル信号変換部を制御するデジタル制御部と、アナログ信号変換部を制御するアナログ制御部とを有する。
【００２９】
また、デジタル制御部は、デジタル放送の各チャンネルがそれぞれに予め割振られた番号の順に並べられたデジタルチャンネルマップを予め記憶している。アナログ制御部は、アナログ放送の各チャンネルがそれぞれに予め割振られた番号の順に並べられたアナログチャンネルマップを予め記憶している。
【００３０】
また、チャンネル切替方法は、チャンネルの切替方向の指示を受付けるステップを含む。
【００３１】
チャンネル切替方法は、さらに、デジタル制御部が、切替方向の指示が受付けられたときに、放送信号抽出部によってデジタル放送信号の抽出中である場合、アナログチャンネルマップで示される順に従った抽出中のチャンネルの切替方向の次のチャンネルの番号であるアナログ番号と、デジタルチャンネルマップで示される順に従った抽出中のチャンネルの切替方向の次のチャンネルの番号であるデジタル番号とのいずれが、抽出中のチャンネルの番号である抽出中番号に近いかを判断するステップを含む。
【００３２】
チャンネル切替方法は、さらに、アナログ制御部が、アナログ番号が近いと判断された場合、放送信号抽出部を制御して、アナログ番号のチャンネルに切替えるステップと、デジタル制御部が、デジタル番号が近いと判断された場合、放送信号抽出部を制御して、デジタル番号のチャンネルに切替えるステップとを含む。
【００３３】
チャンネル切替方法は、さらに、アナログ制御部が、切替方向の指示が受付けられたときに、放送信号抽出部によってアナログ放送信号の抽出中である場合、デジタル番号と、アナログ番号とのいずれが、抽出中番号に近いかを判断するステップと、デジタル制御部が、デジタル番号が近いと判断された場合、放送信号抽出部を制御して、デジタル番号のチャンネルに切替えるステップと、アナログ制御部が、アナログ番号が近いと判断された場合、放送信号抽出部を制御して、アナログ番号のチャンネルに切替えるステップとを含む。
【発明の効果】
【００３４】
この発明に従えば、放送受信装置によって、チャンネルの切替方向の指示が受付けられる。そして、切替方向の指示が受付けられたときに、放送信号抽出部によってデジタル放送信号の抽出中である場合、アナログチャンネルマップで示される順に従った抽出中のチャンネルの切替方向の次のチャンネルの番号であるアナログ番号と、デジタルチャンネルマップで示される順に従った抽出中のチャンネルの切替方向の次のチャンネルの番号であるデジタル番号とのいずれが、抽出中のチャンネル番号である抽出中番号に近いかが判断され、アナログ番号が近いと判断された場合、アナログ番号のチャンネルに切替えられ、デジタル番号が近いと判断された場合、デジタル番号のチャンネルに切替えられる。
【００３５】
また、切替方向の指示が受付けられたときに、アナログ放送信号の抽出中である場合、デジタル番号と、アナログ番号とのいずれが、抽出中番号に近いかが判断され、デジタル番号が近いと判断された場合、デジタル番号のチャンネルに切替えられ、アナログ番号が近いと判断された場合、アナログ番号のチャンネルに切替えられる。
【００３６】
このため、放送受信装置によって、デジタル放送信号またはアナログ放送信号のいずれを抽出中の場合であっても、抽出中のチャンネルの番号に近い番号のデジタル放送またはアナログ放送のチャンネルに切替えられる。その結果、アナログ放送およびデジタル放送のチャンネルをシームレスに切替えることが可能な放送受信装置を提供することができる。
【００３７】
また、放送受信装置によって、デジタル放送信号の抽出中に、アナログ番号のチャンネルに切替えられたときは、デジタル信号変換部が省電力の状態に移行され、デジタル番号のチャンネルに切替えられたときは、アナログ信号変換部が省電力の状態に移行される。一方、アナログ放送信号の抽出中に、デジタル番号のチャンネルに切替えられたときは、アナログ信号変換部が省電力の状態に移行され、アナログ番号のチャンネルに切替えられたときは、デジタル信号変換部が省電力の状態に移行される。
【００３８】
このため、放送受信装置によって、アナログ信号変換部またはデジタル信号変換部のうち、用いられていない信号変幹部を省電力の状態に移行させることができる。その結果、アナログ放送の信号を変換する部分またはデジタル放送の信号を変換する部分のうち用いられていない部分の省電力をすることが可能な放送受信装置を提供することができる。
【発明を実施するための最良の形態】
【００３９】
以下、この発明の実施の形態について、図面を参照しながら詳細に説明する。なお、図中の同一または相当部分については、同一符号を付してその説明は繰返さない。
【００４０】
［第１実施形態］
図１は、この発明の第１実施形態に従う放送受信装置１の概略構成図である。
【００４１】
図１を参照して、この発明の第１実施形態に従う放送受信装置１は、アンテナ３０から放送信号を受信し、モニタ４０に対して映像信号および音声信号を出力する。さらに、放送受信装置１は、リモコン４２から指令信号を受信する。
【００４２】
アンテナ３０、モニタ４０、および、リモコン４２は、周知であるので詳細な説明は省略する。
【００４３】
放送受信装置１は、デジタル制御部１０と、アナログ制御部１１と、チューナ１６と、デジタル復調器１８と、アナログ復調器２０と、ＭＰＥＧデコーダ２２と、リモコン受信部２６とを含む。
【００４４】
デジタル制御部１０は、プログラムを実行するＣＰＵ（Central Processing Unit）１０Ａと、実行されるプログラム、プログラム実行中のデータ、および、プログラム実行結果のデータを記憶するメモリ１０Ｂとを含む。
【００４５】
アナログ制御部１１は、プログラムを実行するＣＰＵ１１Ｂと、実行されるプログラム、プログラム実行中のデータ、および、プログラム実行結果のデータを記憶するメモリ１１Ｂを含む。
【００４６】
チューナ１６は、受信した放送信号の中から、デジタル制御部１０またはアナログ制御部１１からの指令に応じて選択されたチャンネルに対応する放送信号を抽出する。そして、チューナ１６は、抽出した放送信号がデジタル放送信号である場合、デジタル放送信号をデジタル復調器１８へ出力し、抽出した放送信号がアナログ放送信号である場合、アナログ放送信号をアナログ復調器２０へ出力する。
【００４７】
デジタル復調器１８は、チューナ１６からデジタル放送信号を受けて、デジタル放送信号を映像および音声がデジタル符号化されたＭＰＥＧ−２ＴＳ（Moving Picture Experts Group phase 2 Transport Stream）信号に復調し、ＭＰＥＧ−２ＴＳ信号をＭＰＥＧデコーダ２２へ出力する。
【００４８】
ここで、デジタルテレビ放送信号は、リード・ソロモン符号および畳み込み符号で符号化されて送信される。そのため、デジタル復調器１８は、上述の復号処理において誤り訂正ができる。この誤り訂正の処理過程において、デジタル復調器１８は、受信した放送信号の受信データ誤り率を演算し、その受信データ誤り率を制御部１０へ出力する。このとき、デジタル復調器１８は、受信した放送信号に含まれる所定のデータ数毎に誤り訂正を行うので、受信開始から１フレーム（１／３０秒）以内で受信データ誤り率の演算ができる。制御部１０は、受信データ誤り率によって、放送信号の信号レベルを判断することができる。
【００４９】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信されるため、誤り訂正が可能であり、その処理過程において受信データ誤り率が演算できる。したがって、この発明の第１実施形態におけるデジタル復調器１８は、上述のいずれの方式を用いてもよい。
【００５０】
アナログ復調器２０は、チューナ１６からアナログ放送信号を受けて、映像信号および音声信号へ復調する。そして、アナログ復調器２０は、復調された音声信号を外部（ここでは、モニタ４０）へ出力する。さらに、アナログ復調器２０は、水平同期信号の捕捉の可否を制御部１０へ出力する。
【００５１】
ここで、アナログテレビ放送信号には、走査線の水平走査および垂直走査を制御するために、水平同期信号および垂直同期信号が含まれている。アナログ復調器２０が映像信号の復調を行うために、上述の水平同期信号および垂直同期信号を捕捉する必要がある。
【００５２】
なお、水平同期信号は、垂直同期信号に対して十分に周波数が高い。そのため、水平同期信号は、垂直同期信号に比較して、ノイズ等の影響を受けやすい。つまり、水平同期信号を捕捉できたか否かで受信状態を判断することができる。
【００５３】
また、アナログ復調器２０は、ＡＧＣ（Auto Gain Control）回路を含む。ＡＧＣ回路は、アナログテレビ放送の放送信号の強弱による映像のコントラストの変化を軽減するために、フィードバック制御によりチューナ１６からの放送信号を一定のレベルに保つ回路である。
【００５４】
ＡＧＣ回路から出力される放送信号の電圧レベルが低い場合は、水平同期信号を捕捉できない。このため、ＡＧＣ回路によって放送信号が増幅される。制御部１０は、水平同期信号を捕捉できたときのＡＧＣ回路による放送信号の増幅率によって、放送信号の信号レベルを判断することができる。
【００５５】
水平同期信号を捕捉するにあたり、アナログ復調器２０は、受信した放送信号に対して、雑音除去処理、周波数分離処理、同期信号分離処理および整形増幅処理等を行なう。それゆえ、受信開始から水平同期信号の捕捉までには、上述のデジタル復調器１８における受信データ誤り率の演算に比較して、多くの時間を要する。
【００５６】
なお、アナログテレビ放送は、日本や米国等のＮＴＳＣ（National System Committee
）方式の他に、ドイツやイギリス等のＰＡＬ（Phase Alternation by Line）方式および
フランス等のＳＥＣＡＭ（Sequentiel Couleur a Memoire）方式があるが、いずれの方式においても放送信号に水平同期信号が含まれているため、水平同期信号の捕捉の可否により受信状態を判断できる。したがって、この発明の第１実施形態におけるアナログ復調器２０は、上述のいずれの方式を用いてもよい。
【００５７】
ＭＰＥＧデコーダ２２は、デジタル復調器１８から受けたＭＰＥＧ−２ＴＳ信号を映像信号および音声信号に復号する。そして、ＭＰＥＧデコーダ２２は、復号された音声信号を外部（ここでは、モニタ４０）へ出力する。
【００５８】
リモコン受信部２６は、リモコン４２からの指令を受信してデジタル制御部１０およびアナログ制御部１１へ出力する。ユーザは、所望の動作を行わせるためリモコン４２を用いて、指令を送信する。
【００５９】
【表１】
2006295696.tif 000003
【００６０】
表１は、アナログテレビ放送のチャンネルマップを示す表である。表１を参照して、アナログテレビ放送のチャンネルマップであるアナログチャンネルマップは、アナログ制御部１１のメモリ１１Ｂに予め記憶される。アナログチャンネルマップは、放送が受信可能なチャンネルのチャンネル番号が昇順に並べられたものである。ここでは、チャンネル番号が、９，１０，１２，１４の順で並べられている。
【００６１】
【表２】
2006295696.tif 000004
【００６２】
表２は、デジタルテレビ放送のチャンネルマップを示す表である。表２を参照して、デジタルテレビ放送のチャンネルマップであるデジタルチャンネルマップは、デジタル制御部１０のメモリ１０Ｂに予め記憶される。デジタルチャンネルマップは、放送が受信可能なチャンネルのチャンネル番号が昇順に並べられたものである。ここでは、チャンネル番号が、９−１，９−２，１０−１，２０−１，２０−２の順で並べられている。
【００６３】
デジタルテレビ放送においては、１つの物理チャンネルで示される周波数帯域で複数の放送が同時に伝送される場合がある。
【００６４】
本実施の形態において、デジタルテレビ放送のチャンネル番号は、「Ｎ−ｎ」と表現する。「Ｎ」は、物理チャンネルのチャンネル番号と対応するチャンネル番号である。たとえば、実際の物理チャンネルのチャンネル番号が９であり、そのまま対応させてＮ＝９とする場合と、実際の物理チャンネルのチャンネル番号は９以外（たとえば、２７）であるが、対応付けてＮ＝９とする場合とがある。
【００６５】
また、「ｎ」は、チャンネル番号Ｎの１つの物理チャンネルに含まれる複数の放送のそれぞれに割振られた論理チャンネルのチャンネル番号である。たとえば、チャンネル番号「９」の物理チャンネルに含まれる放送が２つである場合、論理チャンネルを１から昇順に割振って、それぞれの放送のチャンネル番号は、「９−１」，「９−２」とする。
【００６６】
また、アナログテレビ放送のチャンネル番号は、物理チャンネル番号のみで「Ｎ」と表現する。ここで、アナログテレビ放送およびデジタルテレビ放送のチャンネル番号の上下関係を考える場合、アナログテレビ放送のチャンネル番号を「Ｎ−０」とみなす。
【００６７】
つまり、チャンネル番号「Ｎ」のアナログチャンネルは、チャンネル番号「Ｎ−１」のデジタルチャンネルよりも下のチャンネルであり、チャンネル番号「（Ｎ−１）−ｎ」のデジタルチャンネルよりも上のチャンネルであることとする。
【００６８】
たとえば、表１および表２で示される各チャンネルを昇順に並べると、９，９−１，９−２，１０，１０−１，１０−２，１２，１４，２０−１，２０−２となる。
【００６９】
なお、アナログチャンネルマップ、および、デジタルチャンネルマップは、それぞれ、ＥＰＧ（Electronic Program Guide）から取得されたものであってもよいし、放送受信装置１に予めプリセットされた各地方のチャンネルマップから、放送受信装置１が設置された地方に応じて選択されたものであってもよい。
【００７０】
また、アナログチャンネルマップ、および、デジタルチャンネルマップは、それぞれ、メモリ１１Ｂ、および、メモリ１０Ｂに記憶された他のテーブル（たとえば、番組表）の一部であってもよい。つまり、番組情報などの他の情報とともに、チャンネル番号が昇順に並べられた情報が含まれるテーブルの一部として、チャンネル番号が昇順に並べられた情報であるチャンネルマップが含まれるようにしてもよい。
【００７１】
図２は、この発明の第１実施形態に従うチャンネル切替処理の流れを示すフローチャートである。
【００７２】
図２を参照して、チャンネル切替処理は、デジタル制御部１０のＣＰＵ１０Ａによって実行される図２の左側のフローチャートで示されるチャンネル切替処理Ｄと、アナログ制御部１１のＣＰＵ１１Ａによって実行される図２の右側のフローチャートで示されるチャンネル切替処理Ａとからなる。
【００７３】
まず、チャンネル切替処理Ｄにおいて、デジタル制御部１０のＣＰＵ１０Ａは、現在受信中のチャンネルを昇順の次のチャンネルに切替えることを指示するチャンネルアップ信号をリモコン受信部２６から受けたか否かを判断する（ステップＳ１１１）。チャンネルアップ信号を受けたと判断した場合（ステップＳ１１１においてＹＥＳの場合）、デジタル制御部１０のＣＰＵ１０Ａは、現在受信中のチャンネルがデジタルテレビ放送のチャンネル（以下、「デジタルチャンネル」という）であるか否かを判断する（ステップＳ１１２）。
【００７４】
チャンネルアップ信号を受けていないと判断した場合（ステップＳ１１１においてＮＯの場合）、または、デジタルチャンネル受信中でないと判断した場合（ステップＳ１１２においてＮＯの場合）、デジタル制御部１０のＣＰＵ１０Ａは、実行する処理をステップＳ１３１に進める。
【００７５】
一方、デジタルチャンネル受信中であると判断した場合（ステップＳ１１２においてＹＥＳの場合）、デジタル制御部１０のＣＰＵ１０Ａは、デジタルチャンネル受信中チャンネルアップ確認コマンド（以下、「Ｄｕｐ確認コマンド」という）をアナログ制御部１１に送信する（ステップＳ１１３）。Ｄｕｐ確認コマンドは、デジタルチャンネルの受信中にチャンネルアップ信号が受信された場合にその旨を伝えるためのコマンドである。
【００７６】
次に、デジタル制御部１０のＣＰＵ１０Ａは、デジタルチャンネル受信中チャンネルアップ切替処理Ｄ（以下、「Ｄｕｐ処理Ｄ」という）を実行する（ステップＳ１２０）。その後、デジタル制御部１０のＣＰＵ１０Ａは、実行する処理をステップＳ１３１に進める。Ｄｕｐ処理Ｄについては、後述する図３で説明する。
【００７７】
一方、チャンネル切替処理Ａにおいて、アナログ制御部１１のＣＰＵ１１Ａは、Ｄｕｐ確認コマンドをデジタル制御部１０から受けたか否かを判断する（ステップＳ２１１）。Ｄｕｐ確認コマンドを受けていないと判断した場合（ステップＳ２１１においてＮＯの場合）、アナログ制御部１１のＣＰＵ１１Ａは、実行する処理をステップＳ２３１に進める。
【００７８】
一方、Ｄｕｐ確認コマンドを受けたと判断した場合（ステップＳ２１１においてＹＥＳの場合）、アナログ制御部１１のＣＰＵ１１Ａは、デジタルチャンネル受信中チャンネルアップ切替処理Ａ（以下、「Ｄｕｐ処理Ａ」という）を実行する（ステップＳ２２０）。その後、アナログ制御部１１のＣＰＵ１１Ａは、実行する処理をステップＳ２３１に進める。Ｄｕｐ処理Ａについては、後述する図３で説明する。
【００７９】
図３は、この発明の第１実施形態に従うデジタルチャンネル受信中チャンネルアップ切替処理（以下、「Ｄｕｐ処理」という）の流れを示すフローチャートである。
【００８０】
図３を参照して、Ｄｕｐ処理は、デジタル制御部１０のＣＰＵ１０Ａによって実行される図３の左側のフローチャートで示されるＤｕｐ処理Ｄと、アナログ制御部１１のＣＰＵ１１Ａによって実行される図３の左側のフローチャートで示されるＤｕｐ処理Ａとからなる。
【００８１】
まず、Ｄｕｐ処理Ｄにおいて、デジタル制御部１０のＣＰＵ１０Ａは、受信中のチャンネルのチャンネル番号「Ｎ−ｎ」の物理チャンネル番号「Ｎ」をアナログ制御部１１に送信する（ステップＳ１２１）。
【００８２】
Ｄｕｐ処理Ａにおいて、アナログ制御部１１のＣＰＵ１１Ａは、アナログ復調器２０を省電力モードから通常モードへ移行させる（ステップＳ２２１）。
【００８３】
ここで、省電力モードは、そのデバイスにおいて、主要な処理を行なう部分への電力供給を停止させて、主要な処理を行なう部分への電力供給を制御する部分を含む一部のみに電力を供給するモードをいう。通常モードは、そのデバイスにおいて、主要な処理を行なう部分、および、主要な処理を行なう部分への電力供給を制御する部分を含む一部を含むそのデバイス全体に電力を供給するモードをいう。主要な処理を行なう部分とは、たとえば、そのデバイスがアナログ復調器２０である場合、アナログ放送信号を復調する処理を行なう部分である。
【００８４】
次に、アナログ制御部１１のＣＰＵ１１Ａは、物理チャンネル番号「Ｎ」をデジタル制御部１０から受けたか否かを判断する（ステップＳ２２２）。物理チャンネル番号「Ｎ」を受けていないと判断した場合（ステップＳ２２２においてＮＯの場合）、アナログ制御部１１のＣＰＵ１１Ａは、ステップＳ２２２を繰返す。
【００８５】
一方、物理チャンネル番号「Ｎ」を受けたと判断した場合（ステップＳ２２２においてＹＥＳの場合）、アナログ制御部１１のＣＰＵ１１Ａは、受信した物理チャンネル番号「Ｎ」の昇順方向の次のチャンネルのチャンネル番号「Ｍ」を、メモリ１１Ｂに記憶されているアナログチャンネルマップから読出し、そのチャンネル番号「Ｍ」をデジタル制御部１０に送信する（ステップＳ２２３）。その後、アナログ制御部１１のＣＰＵ１１Ａは、実行する処理をステップＳ２２４に進める。
【００８６】
次に、Ｄｕｐ処理Ｄにおいて、デジタル制御部１０のＣＰＵ１０Ａは、チャンネル番号「Ｍ」をアナログ制御部１１から受けたか否かを判断する（ステップＳ１２２）。チャンネル番号「Ｍ」を受けていないと判断した場合（ステップＳ１２２においてＮＯの場合）、デジタル制御部１０のＣＰＵ１０Ａは、ステップＳ１２２を繰返す。
【００８７】
一方、チャンネル番号「Ｍ」を受けたと判断した場合（ステップＳ１２２においてＹＥＳの場合）、デジタル制御部１０のＣＰＵ１０Ａは、チャンネル番号「Ｎ−ｎ」の昇順方向の次のチャンネル番号「Ｌ−ｌ」を、メモリ１０Ｂに記憶されているデジタルチャンネルマップから読出し、そのチャンネル番号「Ｌ−ｌ」の物理チャンネル番号「Ｌ」と、受信したチャンネル番号「Ｍ」とを比較する（ステップＳ１２３）。そして、デジタル制御部１０のＣＰＵ１０Ａは、Ｌ＜Ｍであるか否かを判断する（ステップＳ１２４）。
【００８８】
Ｌ＜Ｍであると判断した場合（ステップＳ１２４においてＹＥＳの場合）、デジタル制御部１０のＣＰＵ１０Ａは、制御継続コマンドをアナログ制御部１１に送信する（ステップＳ１２５）。制御継続コマンドは、デジタル制御部１０およびアナログ制御部１１が放送信号の受信の制御を継続する旨を、それぞれ、アナログ制御部１１およびデジタル制御部１０に伝達するコマンドをいう。
【００８９】
そして、デジタル制御部１０のＣＰＵ１０Ａは、チャンネル番号「Ｌ−ｌ」へチャンネルを切替えることを指示するチャンネル切替信号をチューナ１６に出力する（ステップＳ１２６）。その後、デジタル制御部１０のＣＰＵ１０Ａは、実行する処理をこのＤｕｐ処理Ｄの呼出元の処理に戻す。
【００９０】
一方、Ｌ＜Ｍでないと判断した場合（ステップＳ１２４においてＮＯの場合）、デジタル制御部１０のＣＰＵ１０Ａは、制御移行コマンドをアナログ制御部１１に送信する（ステップＳ１２７）。制御移行コマンドは、デジタル制御部１０およびアナログ制御部１１が放送信号の受信の制御を移行する旨を、それぞれ、アナログ制御部１１およびデジタル制御部１０に伝達するコマンドをいう。
【００９１】
そして、デジタル制御部１０のＣＰＵ１０Ａは、デジタル復調器１８およびＭＰＥＧデコーダ２２を通常モードから省電力モードに移行させる（ステップＳ１２８）。その後、デジタル制御部１０のＣＰＵ１０Ａは、実行する処理をこのＤｕｐ処理Ｄの呼出元の処理に戻す。
【００９２】
Ｄｕｐ処理Ａにおいて、アナログ制御部１１のＣＰＵ１１Ａは、デジタル制御部１０から制御継続コマンドを受けたか否かを判断する（ステップＳ２２４）。制御継続コマンドを受けていないと判断した場合（ステップＳ２２４においてＮＯの場合）、アナログ制御部１１のＣＰＵ１１Ａは、制御移行コマンドを受けたか否かを判断する（ステップＳ２２６）。制御移行コマンドを受けていないと判断した場合（ステップＳ２２６においてＮＯの場合）、アナログ制御部１１のＣＰＵ１１Ａは、実行する処理をステップＳ２２４の処理に戻す。
【００９３】
制御継続コマンドを受けたと判断した場合（ステップＳ２２４においてＹＥＳの場合）、アナログ制御部１１のＣＰＵ１１Ａは、アナログ復調器２０を通常モードから省電力モードに移行させる（ステップＳ２２５）。その後、アナログ制御部１１のＣＰＵ１１Ａは、実行する処理をこのＤｕｐ処理Ａの呼出元の処理に戻す。
【００９４】
制御移行コマンドを受けたと判断した場合（ステップＳ２２６においてＹＥＳの場合）、アナログ制御部１１のＣＰＵ１１Ａは、チャンネル番号「Ｍ」へチャンネルを切替えることを指示するチャンネル切替信号をチューナ１６に出力する（ステップＳ２２７）。その後、アナログ制御部１１のＣＰＵ１１Ａは、実行する処理をこのＤｕｐ処理Ａの呼出元の処理に戻す。
【００９５】
このように、デジタルチャンネルを受信中にチャンネルアップ信号を受けた場合、Ｄｕｐ処理ＤおよびＤｕｐ処理Ａが実行されることによって、昇順方向の次のチャンネルがデジタルチャンネルであるときには、そのデジタルチャンネルに切替える制御が行なわれ、デジタル制御部１０がそのまま放送信号の受信制御を継続し、アナログ復調器２０が省電力モードに移行される。また、昇順方向の次のチャンネルがアナログチャンネルであるときには、そのアナログチャンネルに切替える制御が行なわれ、アナログ制御部１１に放送信号の受信制御が移行され、デジタル復調器１８およびＭＰＥＧデコーダ２２が省電力モードに移行される。
【００９６】
図２に戻って、チャンネル切替処理Ａにおいて、アナログ制御部１１のＣＰＵ１１Ａは、前述したチャンネルアップ信号をリモコン受信部２６から受けたか否かを判断する（ステップＳ２３１）。チャンネルアップ信号を受けたと判断した場合（ステップＳ２３１においてＹＥＳの場合）、アナログ制御部１１のＣＰＵ１１Ａは、現在受信中のチャンネルがアナログテレビ放送のチャンネル（以下、「アナログチャンネル」という）であるか否かを判断する（ステップＳ２３２）。
【００９７】
チャンネルアップ信号を受けていないと判断した場合（ステップＳ２３１においてＮＯの場合）、または、アナログチャンネル受信中でないと判断した場合（ステップＳ２３２においてＮＯの場合）、アナログ制御部１１のＣＰＵ１１Ａは、実行する処理をステップＳ２５１に進める。
【００９８】
一方、アナログチャンネル受信中であると判断した場合（ステップＳ２３２においてＹＥＳの場合）、アナログ制御部１１のＣＰＵ１１Ａは、アナログチャンネル受信中チャンネルアップ確認コマンド（以下、「Ａｕｐ確認コマンド」という）をデジタル制御部１０に送信する（ステップＳ２３３）。Ａｕｐ確認コマンドは、アナログチャンネルの受信中にチャンネルアップ信号が受信された場合にその旨を伝えるためのコマンドである。
【００９９】
次に、アナログ制御部１１のＣＰＵ１１Ａは、アナログチャンネル受信中チャンネルアップ切替処理Ａ（以下、「Ａｕｐ処理Ａ」という）を実行する（ステップＳ２４０）。その後、アナログ制御部１１のＣＰＵ１１Ａは，実行する処理をステップＳ２５１に進める。Ａｕｐ処理Ａについては、後述する図４で説明する。
【０１００】
一方、チャンネル切替処理Ｄにおいて、デジタル制御部１０のＣＰＵ１０Ａは、Ａｕｐ確認コマンドをアナログ制御部１１から受けたか否かを判断する（ステップＳ１３１）。コマンドを受けていないと判断した場合（ステップＳ１３１においてＮＯの場合）、デジタル制御部１０のＣＰＵ１０Ａは、実行する処理をステップＳ１５１に進める。
【０１０１】
一方、コマンドを受けたと判断した場合（ステップＳ１３１においてＹＥＳの場合）、デジタル制御部１０のＣＰＵ１０Ａは、アナログチャンネル受信中チャンネルアップ切替処理Ｄ（以下、「Ａｕｐ処理Ｄ」という）を実行する（ステップＳ１４０）。その後、デジタル制御部１０のＣＰＵ１０Ａは、実行する処理をステップＳ１５１に進める。Ａｕｐ処理Ｄについては、後述する図４で説明する。
【０１０２】
図４は、この発明の第１実施形態に従うアナログチャンネル受信中チャンネルアップ切替処理（以下、「Ａｕｐ処理」という）の流れを示すフローチャートである。
【０１０３】
図４を参照して、Ａｕｐ処理は、デジタル制御部１０のＣＰＵ１０Ａによって実行される図４の左側のフローチャートで示されるＡｕｐ処理Ｄと、アナログ制御部１１のＣＰＵ１１Ａによって実行される図４の左側のフローチャートで示されるＡｕｐ処理Ａとからなる。
【０１０４】
まず、Ａｕｐ処理Ａにおいて、アナログ制御部１１のＣＰＵ１１Ａは、受信中のチャンネルの物理チャンネル番号「Ｎ」をデジタル制御部１０に送信する（ステップＳ２４１）。
【０１０５】
Ａｕｐ処理Ｄにおいて、デジタル制御部１０のＣＰＵ１０Ａは、デジタル復調器１８、および、ＭＰＥＧデコーダ２２を省電力モードから通常モードへ移行させる（ステップＳ１４１）。
【０１０６】
次に、デジタル制御部１０のＣＰＵ１０Ａは、物理チャンネル番号「Ｎ」をアナログ制御部１１から受けたか否かを判断する（ステップＳ１４２）。物理チャンネル番号「Ｎ」を受けていないと判断した場合（ステップＳ１４２においてＮＯの場合）、デジタル制御部１０のＣＰＵ１０Ａは、ステップＳ１４２を繰返す。
【０１０７】
一方、物理チャンネル番号「Ｎ」を受けたと判断した場合（ステップＳ１４２においてＹＥＳの場合）、デジタル制御部１０のＣＰＵ１０Ａは、受信した物理チャンネル番号「Ｎ」の昇順方向の次のチャンネルのチャンネル番号「Ｍ−ｍ」を、メモリ１０Ｂに記憶されているデジタルチャンネルマップから読出し、そのチャンネル番号「Ｍ−ｍ」をアナログ制御部１１に送信する（ステップＳ１４３）。その後、デジタル制御部１０のＣＰＵ１０Ａは、実行する処理をステップＳ１４４に進める。
【０１０８】
次に、Ａｕｐ処理Ａにおいて、アナログ制御部１１のＣＰＵ１１Ａは、チャンネル番号「Ｍ−ｍ」をデジタル制御部１０から受けたか否かを判断する（ステップＳ２４２）。チャンネル番号「Ｍ−ｍ」を受けていないと判断した場合（ステップＳ２４２においてＮＯの場合）、アナログ制御部１１のＣＰＵ１１Ａは、ステップＳ２４２を繰返す。
【０１０９】
一方、チャンネル番号「Ｍ−ｍ」を受けたと判断した場合（ステップＳ２４２においてＹＥＳの場合）、アナログ制御部１１のＣＰＵ１１Ａは、チャンネル番号「Ｎ」の昇順方向の次のチャンネル番号「Ｌ」を、メモリ１１Ｂに記憶されているアナログチャンネルマップから読出し、そのチャンネル番号「Ｌ」と、受信したチャンネル番号「Ｍ−ｍ」の物理チャンネル番号「Ｍ」とを比較する（ステップＳ２４３）。そして、アナログ制御部１１のＣＰＵ１１Ａは、Ｍ≧Ｌであるか否かを判断する（ステップＳ２４４）。
【０１１０】
Ｍ≧Ｌであると判断した場合（ステップＳ２４４においてＹＥＳの場合）、アナログ制御部１１のＣＰＵ１１Ａは、前述した制御継続コマンドをデジタル制御部１０に送信する（ステップＳ２４５）。
【０１１１】
そして、アナログ制御部１１のＣＰＵ１１Ａは、チャンネル番号「Ｌ」へチャンネルを切替えることを指示するチャンネル切替信号をチューナ１６に出力する（ステップＳ２４６）。その後、アナログ制御部１１のＣＰＵ１１Ａは、実行する処理をこのＡｕｐ処理Ａの呼出元の処理に戻す。
【０１１２】
一方、Ｍ≧Ｌでないと判断した場合（ステップＳ２４４においてＮＯの場合）、アナログ制御部１１のＣＰＵ１１Ａは、制御移行コマンドをデジタル制御部１０に送信する（ステップＳ２４７）。
【０１１３】
そして、アナログ制御部１１のＣＰＵ１１Ａは、アナログ復調器２０を通常モードから省電力モードに移行させる（ステップＳ２４８）。その後、アナログ制御部１１のＣＰＵ１１Ａは、実行する処理をこのＡｕｐ処理Ａの呼出元の処理に戻す。
【０１１４】
Ａｕｐ処理Ｄにおいて、デジタル制御部１０のＣＰＵ１０Ａは、アナログ制御部１１から制御継続コマンドを受けたか否かを判断する（ステップＳ１４４）。制御継続コマンドを受けていないと判断した場合（ステップＳ１４４においてＮＯの場合）、デジタル制御部１０のＣＰＵ１０Ａは、制御移行コマンドを受けたか否かを判断する（ステップＳ１４６）。制御移行コマンドを受けていないと判断した場合（ステップＳ１４６においてＮＯの場合）、デジタル制御部１０のＣＰＵ１０Ａは、実行する処理をステップＳ１４４の処理に戻す。
【０１１５】
制御継続コマンドを受けたと判断した場合（ステップＳ１４４においてＹＥＳの場合）、デジタル制御部１０のＣＰＵ１０Ａは、デジタル復調器１８、および、ＭＰＥＧデコーダ２２を通常モードから省電力モードに移行させる（ステップＳ１４５）。その後、デジタル制御部１０のＣＰＵ１０Ａは、実行する処理をこのＡｕｐ処理Ｄの呼出元の処理に戻す。
【０１１６】
制御移行コマンドを受けたと判断した場合（ステップＳ１４６においてＹＥＳの場合）、デジタル制御部１０のＣＰＵ１０Ａは、チャンネル番号「Ｍ−ｍ」へチャンネルを切替えることを指示するチャンネル切替信号をチューナ１６に出力する（ステップＳ１４７）。その後、デジタル制御部１０のＣＰＵ１０Ａは、実行する処理をこのＡｕｐ処理Ｄの呼出元の処理に戻す。
【０１１７】
このように、アナログチャンネルを受信中にチャンネルアップ信号を受けた場合、Ａｕｐ処理ＤおよびＡｕｐ処理Ａが実行されることによって、昇順方向の次のチャンネルがアナログチャンネルであるときには、そのアナログチャンネルに切替える制御が行なわれ、アナログ制御部１１がそのまま放送信号の受信制御を継続し、デジタル復調器１８およびＭＰＥＧデコーダ２２が省電力モードに移行される。また、昇順方向の次のチャンネルがデジタルチャンネルであるときには、そのデジタルチャンネルに切替える制御が行なわれ、デジタル制御部１０に放送信号の受信制御が移行され、アナログ復調器２０が省電力モードに移行される。
【０１１８】
図２に戻って、チャンネル切替処理Ｄにおいて、デジタル制御部１０のＣＰＵ１０Ａは、現在受信中のチャンネルを降順の次のチャンネルに切替えることを指示するチャンネルダウン信号をリモコン受信部２６から受けたか否かを判断する（ステップＳ１５１）。チャンネルダウン信号を受けたと判断した場合（ステップＳ１５１においてＹＥＳの場合）、デジタル制御部１０のＣＰＵ１０Ａは、現在受信中のチャンネルがデジタルチャンネルであるか否かを判断する（ステップＳ１５２）。
【０１１９】
チャンネルダウン信号を受けていないと判断した場合（ステップＳ１５１においてＮＯの場合）、または、デジタルチャンネル受信中でないと判断した場合（ステップＳ１５２においてＮＯの場合）、デジタル制御部１０のＣＰＵ１０Ａは、実行する処理をステップＳ１７１に進める。
【０１２０】
一方、デジタルチャンネル受信中であると判断した場合（ステップＳ１５２においてＹＥＳの場合）、デジタル制御部１０のＣＰＵ１０Ａは、デジタルチャンネル受信中チャンネルダウン確認コマンド（以下、「Ｄｄｏｗｎ確認コマンド」という）をアナログ制御部１１に送信する（ステップＳ１５３）。Ｄｄｏｗｎ確認コマンドは、デジタルチャンネルの受信中にチャンネルダウン信号が受信された場合にアナログ制御部１１にその旨を伝えるためのコマンドである。
【０１２１】
次に、デジタル制御部１０のＣＰＵ１０Ａは、デジタルチャンネル受信中チャンネルダウン切替処理Ｄ（以下、「Ｄｄｏｗｎ処理Ｄ」という）を実行する（ステップＳ１６０）。その後、デジタル制御部１０のＣＰＵ１０Ａは、実行する処理をステップＳ１７１に進める。Ｄｄｏｗｎ処理Ｄについては、後述する図５で説明する。
【０１２２】
一方、チャンネル切替処理Ａにおいて、アナログ制御部１１のＣＰＵ１１Ａは、Ｄｄｏｗｎ確認コマンドをデジタル制御部１０から受けたか否かを判断する（ステップＳ２５１）。コマンドを受けていないと判断した場合（ステップＳ２５１においてＮＯの場合）、アナログ制御部１１のＣＰＵ１１Ａは、実行する処理をステップＳ２７１に進める。
【０１２３】
一方、コマンドを受けたと判断した場合（ステップＳ２５１においてＹＥＳの場合）、アナログ制御部１１のＣＰＵ１１Ａは、デジタルチャンネル受信中チャンネルダウン切替処理Ａ（以下、「Ｄｄｏｗｎ処理Ａ」という）を実行する（ステップＳ２６０）。その後、アナログ制御部１１のＣＰＵ１１Ａは、実行する処理をステップＳ２７１に進める。Ｄｄｏｗｎ処理Ａについては、後述する図５で説明する。
【０１２４】
図５は、この発明の第１実施形態に従うデジタルチャンネル受信中チャンネルダウン切替処理（以下、「Ｄｄｏｗｎ処理」という）の流れを示すフローチャートである。
【０１２５】
図５を参照して、Ｄｄｏｗｎ処理は、デジタル制御部１０のＣＰＵ１０Ａによって実行される図５の左側のフローチャートで示されるＤｄｏｗｎ処理Ｄと、アナログ制御部１１のＣＰＵ１１Ａによって実行される図５の左側のフローチャートで示されるＤｄｏｗｎ処理Ａとからなる。
【０１２６】
まず、Ｄｄｏｗｎ処理Ｄにおいて、デジタル制御部１０のＣＰＵ１０Ａは、受信中のチャンネルのチャンネル番号「Ｎ−ｎ」の物理チャンネル番号「Ｎ」をアナログ制御部１１に送信する（ステップＳ１６１）。
【０１２７】
Ｄｄｏｗｎ処理Ａにおいて、アナログ制御部１１のＣＰＵ１１Ａは、アナログ復調器２０を省電力モードから通常モードへ移行させる（ステップＳ２６１）。
【０１２８】
次に、アナログ制御部１１のＣＰＵ１１Ａは、物理チャンネル番号「Ｎ」をデジタル制御部１０から受けたか否かを判断する（ステップＳ２６２）。物理チャンネル番号「Ｎ」を受けていないと判断した場合（ステップＳ２６２においてＮＯの場合）、アナログ制御部１１のＣＰＵ１１Ａは、ステップＳ２６２を繰返す。
【０１２９】
一方、物理チャンネル番号「Ｎ」を受けたと判断した場合（ステップＳ２６２においてＹＥＳの場合）、アナログ制御部１１のＣＰＵ１１Ａは、受信した物理チャンネル番号「Ｎ」の昇順方向の次のチャンネルのチャンネル番号「Ｍ」を、メモリ１１Ｂに記憶されているアナログチャンネルマップから読出し、そのチャンネル番号「Ｍ」をデジタル制御部１０に送信する（ステップＳ２６３）。その後、アナログ制御部１１のＣＰＵ１１Ａは、実行する処理をステップＳ２６４に進める。
【０１３０】
次に、Ｄｄｏｗｎ処理Ｄにおいて、デジタル制御部１０のＣＰＵ１０Ａは、チャンネル番号「Ｍ」をアナログ制御部１１から受けたか否かを判断する（ステップＳ１６２）。チャンネル番号「Ｍ」を受けていないと判断した場合（ステップＳ１６２においてＮＯの場合）、デジタル制御部１０のＣＰＵ１０Ａは、ステップＳ１６２を繰返す。
【０１３１】
一方、チャンネル番号「Ｍ」を受けたと判断した場合（ステップＳ１６２においてＹＥＳの場合）、デジタル制御部１０のＣＰＵ１０Ａは、チャンネル番号「Ｎ−ｎ」の降順方向の次のチャンネル番号「Ｌ−ｌ」を、メモリ１０Ｂに記憶されているデジタルチャンネルマップから読出し、そのチャンネル番号「Ｌ−ｌ」の物理チャンネル番号「Ｌ」と、受信したチャンネル番号「Ｍ」とを比較する（ステップＳ１６３）。そして、デジタル制御部１０のＣＰＵ１０Ａは、Ｌ≧Ｍであるか否かを判断する（ステップＳ１６４）。
【０１３２】
Ｌ≧Ｍであると判断した場合（ステップＳ１６４においてＹＥＳの場合）、デジタル制御部１０のＣＰＵ１０Ａは、制御継続コマンドをアナログ制御部１１に送信する（ステップＳ１６５）。
【０１３３】
そして、デジタル制御部１０のＣＰＵ１０Ａは、チャンネル番号「Ｌ−ｌ」へチャンネルを切替えることを指示するチャンネル切替信号をチューナ１６に出力する（ステップＳ１６６）。その後、デジタル制御部１０のＣＰＵ１０Ａは、実行する処理をこのＤｄｏｗｎ処理Ｄの呼出元の処理に戻す。
【０１３４】
一方、Ｌ≧Ｍでないと判断した場合（ステップＳ１６４においてＮＯの場合）、デジタル制御部１０のＣＰＵ１０Ａは、制御移行コマンドをアナログ制御部１１に送信する（ステップＳ１６７）。
【０１３５】
そして、デジタル制御部１０のＣＰＵ１０Ａは、デジタル復調器１８およびＭＰＥＧデコーダ２２を通常モードから省電力モードに移行させる（ステップＳ１６８）。その後、デジタル制御部１０のＣＰＵ１０Ａは、実行する処理をこのＤｄｏｗｎ処理Ｄの呼出元の処理に戻す。
【０１３６】
Ｄｄｏｗｎ処理Ａにおいて、アナログ制御部１１のＣＰＵ１１Ａは、デジタル制御部１０から制御継続コマンドを受けたか否かを判断する（ステップＳ２６４）。制御継続コマンドを受けていないと判断した場合（ステップＳ２６４においてＮＯの場合）、アナログ制御部１１のＣＰＵ１１Ａは、制御移行コマンドを受けたか否かを判断する（ステップＳ２６６）。制御移行コマンドを受けていないと判断した場合（ステップＳ２６６においてＮＯの場合）、アナログ制御部１１のＣＰＵ１１Ａは、実行する処理をステップＳ２６４の処理に戻す。
【０１３７】
制御継続コマンドを受けたと判断した場合（ステップＳ２６４においてＹＥＳの場合）、アナログ制御部１１のＣＰＵ１１Ａは、アナログ復調器２０を通常モードから省電力モードに移行させる（ステップＳ２６５）。その後、アナログ制御部１１のＣＰＵ１１Ａは、実行する処理をこのＤｄｏｗｎ処理Ａの呼出元の処理に戻す。
【０１３８】
制御移行コマンドを受けたと判断した場合（ステップＳ２６６においてＮＯの場合）、アナログ制御部１１のＣＰＵ１１Ａは、チャンネル番号「Ｍ」へチャンネルを切替えることを指示するチャンネル切替信号をチューナ１６に出力する（ステップＳ２６７）。その後、アナログ制御部１１のＣＰＵ１１Ａは、実行する処理をこのＤｄｏｗｎ処理Ａの呼出元の処理に戻す。
【０１３９】
このように、デジタルチャンネルを受信中にチャンネルダウン信号を受けた場合、Ｄｄｏｗｎ処理ＤおよびＤｄｏｗｎ処理Ａが実行されることによって、降順方向の次のチャンネルがデジタルチャンネルであるときには、そのデジタルチャンネルに切替える制御が行なわれ、デジタル制御部１０がそのまま放送信号の受信制御を継続し、アナログ復調器２０が省電力モードに移行される。また、降順方向の次のチャンネルがアナログチャンネルであるときには、そのアナログチャンネルに切替える制御が行なわれ、アナログ制御部１１に放送信号の受信制御が移行され、デジタル復調器１８およびＭＰＥＧデコーダ２２が省電力モードに移行される。
【０１４０】
図２に戻って、チャンネル切替処理Ａにおいて、アナログ制御部１１のＣＰＵ１１Ａは、前述したチャンネルダウン信号をリモコン受信部２６から受けたか否かを判断する（ステップＳ２７１）。チャンネルダウン信号を受けたと判断した場合（ステップＳ２７１においてＹＥＳの場合）、アナログ制御部１１のＣＰＵ１１Ａは、現在受信中のチャンネルがアナログチャンネルであるか否かを判断する（ステップＳ２７２）。
【０１４１】
チャンネルダウン信号を受けていないと判断した場合（ステップＳ２７１においてＮＯの場合）、または、アナログチャンネル受信中でないと判断した場合（ステップＳ２７２においてＮＯの場合）、アナログ制御部１１のＣＰＵ１１Ａは、実行する処理をこのチャンネル切替処理Ａの呼出元の処理に戻す。
【０１４２】
一方、アナログチャンネル受信中であると判断した場合（ステップＳ２７２においてＹＥＳの場合）、アナログ制御部１１のＣＰＵ１１Ａは、アナログチャンネル受信中チャンネルダウン確認コマンド（以下、「Ａｄｏｗｎ確認コマンド」という）をデジタル制御部１０に送信する（ステップＳ２７３）。Ａｄｏｗｎ確認コマンドは、アナログチャンネルの受信中にチャンネルダウン信号が受信された場合にデジタル制御部１０にその旨を伝えるためのコマンドである。
【０１４３】
次に、アナログ制御部１１のＣＰＵ１１Ａは、アナログチャンネル受信中チャンネルダウン切替処理Ａ（以下、「Ａｄｏｗｎ処理Ａ」という）を実行する（ステップＳ２８０）。その後、アナログ制御部１１のＣＰＵ１１Ａは，実行する処理をチャンネル切替処理Ａの呼出元の処理に戻す。Ａｄｏｗｎ処理Ａについては、後述する図６で説明する。
【０１４４】
一方、チャンネル切替処理Ｄにおいて、デジタル制御部１０のＣＰＵ１０Ａは、Ａｄｏｗｎ確認コマンドをアナログ制御部１１から受けたか否かを判断する（ステップＳ１７１）。コマンドを受けていないと判断した場合（ステップＳ１７１においてＮＯの場合）、デジタル制御部１０のＣＰＵ１０Ａは、実行する処理をチャンネル切替処理Ｄの呼出元の処理に戻す。
【０１４５】
一方、コマンドを受けたと判断した場合（ステップＳ１７１においてＹＥＳの場合）、デジタル制御部１０のＣＰＵ１０Ａは、アナログチャンネル受信中チャンネルダウン切替処理Ｄ（以下、「Ａｄｏｗｎ処理Ｄ」という）を実行する（ステップＳ１８０）。その後、デジタル制御部１０のＣＰＵ１０Ａは、実行する処理をチャンネル切替処理Ｄの呼出元の処理に戻す。Ａｄｏｗｎ処理Ｄについては、後述する図６で説明する。
【０１４６】
図６は、この発明の第１実施形態に従うアナログチャンネル受信中チャンネルダウン切替処理（以下、「Ａｄｏｗｎ処理」という）の流れを示すフローチャートである。
【０１４７】
図６を参照して、Ａｄｏｗｎ処理は、デジタル制御部１０のＣＰＵ１０Ａによって実行される図６の左側のフローチャートで示されるＡｄｏｗｎ処理Ｄと、アナログ制御部１１のＣＰＵ１１Ａによって実行される図６の左側のフローチャートで示されるＡｄｏｗｎ処理Ａとからなる。
【０１４８】
まず、Ａｄｏｗｎ処理Ａにおいて、アナログ制御部１１のＣＰＵ１１Ａは、受信中のチャンネルの物理チャンネル番号「Ｎ」をデジタル制御部１０に送信する（ステップＳ２８１）。
【０１４９】
Ａｄｏｗｎ処理Ｄにおいて、デジタル制御部１０のＣＰＵ１０Ａは、デジタル復調器１８、および、ＭＰＥＧデコーダ２２を省電力モードから通常モードへ移行させる（ステップＳ１８１）。
【０１５０】
次に、デジタル制御部１０のＣＰＵ１０Ａは、物理チャンネル番号「Ｎ」をアナログ制御部１１から受けたか否かを判断する（ステップＳ１８２）。物理チャンネル番号「Ｎ」を受けていないと判断した場合（ステップＳ１８２においてＮＯの場合）、デジタル制御部１０のＣＰＵ１０Ａは、ステップＳ１８２を繰返す。
【０１５１】
一方、物理チャンネル番号「Ｎ」を受けたと判断した場合（ステップＳ１８２においてＹＥＳの場合）、デジタル制御部１０のＣＰＵ１０Ａは、受信した物理チャンネル番号「Ｎ」の降順方向の次のチャンネルのチャンネル番号「Ｍ−ｍ」を、メモリ１０Ｂに記憶されているデジタルチャンネルマップから読出し、そのチャンネル番号「Ｍ−ｍ」をアナログ制御部１１に送信する（ステップＳ１８３）。その後、デジタル制御部１０のＣＰＵ１０Ａは、実行する処理をステップＳ１８４に進める。
【０１５２】
次に、Ａｄｏｗｎ処理Ａにおいて、アナログ制御部１１のＣＰＵ１１Ａは、チャンネル番号「Ｍ−ｍ」をデジタル制御部１０から受けたか否かを判断する（ステップＳ２８２）。チャンネル番号「Ｍ−ｍ」を受けていないと判断した場合（ステップＳ２８２においてＮＯの場合）、アナログ制御部１１のＣＰＵ１１Ａは、ステップＳ２８２を繰返す。
【０１５３】
一方、チャンネル番号「Ｍ−ｍ」を受けたと判断した場合（ステップＳ２８２においてＹＥＳの場合）、アナログ制御部１１のＣＰＵ１１Ａは、チャンネル番号「Ｎ」の降順方向の次のチャンネル番号「Ｌ」を、メモリ１１Ｂに記憶されているアナログチャンネルマップから読出し、そのチャンネル番号「Ｌ」と、受信したチャンネル番号「Ｍ−ｍ」の物理チャンネル番号「Ｍ」とを比較する（ステップＳ２８３）。そして、アナログ制御部１１のＣＰＵ１１Ａは、Ｍ＜Ｌであるか否かを判断する（ステップＳ２８４）。
【０１５４】
Ｍ＜Ｌであると判断した場合（ステップＳ２８４においてＹＥＳの場合）、アナログ制御部１１のＣＰＵ１１Ａは、前述した制御継続コマンドをデジタル制御部１０に送信する（ステップＳ２８５）。
【０１５５】
そして、アナログ制御部１１のＣＰＵ１１Ａは、チャンネル番号「Ｌ」へチャンネルを切替えることを指示するチャンネル切替信号をチューナ１６に出力する（ステップＳ２８６）。その後、アナログ制御部１１のＣＰＵ１１Ａは、実行する処理をこのＡｄｏｗｎ処理Ａの呼出元の処理に戻す。
【０１５６】
一方、Ｍ＜Ｌでないと判断した場合（ステップＳ２８４においてＮＯの場合）、アナログ制御部１１のＣＰＵ１１Ａは、制御移行コマンドをデジタル制御部１０に送信する（ステップＳ２８７）。
【０１５７】
そして、アナログ制御部１１のＣＰＵ１１Ａは、アナログ復調器２０を通常モードから省電力モードに移行させる（ステップＳ２８８）。その後、アナログ制御部１１のＣＰＵ１１Ａは、実行する処理をこのＡｄｏｗｎ処理Ａの呼出元の処理に戻す。
【０１５８】
Ａｄｏｗｎ処理Ｄにおいて、デジタル制御部１０のＣＰＵ１０Ａは、アナログ制御部１１から制御継続コマンドを受けたか否かを判断する（ステップＳ１８４）。制御継続コマンドを受けていないと判断した場合（ステップＳ１８４においてＮＯの場合）、デジタル制御部１０のＣＰＵ１０Ａは、制御移行コマンドを受けたか否かを判断する（ステップＳ１８６）。制御移行コマンドを受けていないと判断した場合（ステップＳ１８６においてＮＯの場合）、デジタル制御部１０のＣＰＵ１０Ａは、実行する処理をステップＳ１８４の処理に戻す。
【０１５９】
制御継続コマンドを受けたと判断した場合（ステップＳ１８４においてＹＥＳの場合）、デジタル制御部１０のＣＰＵ１０Ａは、デジタル復調器１８、および、ＭＰＥＧデコーダ２２を通常モードから省電力モードに移行させる（ステップＳ１８５）。その後、デジタル制御部１０のＣＰＵ１０Ａは、実行する処理をこのＡｄｏｗｎ処理Ｄの呼出元の処理に戻す。
【０１６０】
制御移行コマンドを受けたと判断した場合（ステップＳ１８６においてＹＥＳの場合）、デジタル制御部１０のＣＰＵ１０Ａは、チャンネル番号「Ｍ−ｍ」へチャンネルを切替えることを指示するチャンネル切替信号をチューナ１６に出力する（ステップＳ１８７）。その後、デジタル制御部１０のＣＰＵ１０Ａは、実行する処理をこのＡｄｏｗｎ処理Ｄの呼出元の処理に戻す。
【０１６１】
このように、アナログチャンネルを受信中にチャンネルダウン信号を受けた場合、Ａｄｏｗｎ処理ＤおよびＡｄｏｗｎ処理Ａが実行されることによって、降順方向の次のチャンネルがアナログチャンネルであるときには、そのアナログチャンネルに切替える制御が行なわれ、アナログ制御部１１がそのまま放送信号の受信制御を継続し、デジタル復調器１８およびＭＰＥＧデコーダ２２が省電力モードに移行される。また、降順方向の次のチャンネルがデジタルチャンネルであるときには、そのデジタルチャンネルに切替える制御が行なわれ、デジタル制御部１０に放送信号の受信制御が移行され、アナログ復調器２０が省電力モードに移行される。
【０１６２】
以上説明したように、第１実施形態に従う放送受信装置１によって、チャンネルの切替方向の指示が受付けられたときに、デジタルチャンネル受信中である場合（つまり、チューナ１６によってデジタル放送信号の抽出中である場合）、アナログチャンネルマップで示される順に従った受信中のチャンネルの切替方向の次のチャンネルのチャンネル番号（アナログ番号）と、デジタルチャンネルマップで示される順に従った受信中のチャンネルの切替方向の次のチャンネルのチャンネル番号（デジタル番号）とのいずれが、受信中のチャンネル番号（受信中番号）に近いかが判断され、アナログ番号が近いと判断された場合、アナログ番号のチャンネルに切替えられ、デジタル番号が近いと判断された場合、デジタル番号のチャンネルに切替えられる。
【０１６３】
また、切替方向の指示が受付けられたときに、アナログチャンネル受信中である場合（つまり、チューナ１６によってアナログ放送信号の抽出中である場合）、デジタル番号と、アナログ番号とのいずれが、受信中番号に近いかが判断され、デジタル番号が近いと判断された場合、デジタル番号のチャンネルに切替えられ、アナログ番号が近いと判断された場合、アナログ番号のチャンネルに切替えられる。
【０１６４】
このように、放送受信装置１によって、デジタル放送信号またはアナログ放送信号のいずれを受信中の場合であっても、受信中のチャンネルの番号に近い番号のデジタルチャンネルまたはアナログチャンネルに切替えられる。その結果、アナログチャンネルおよびデジタルチャンネルをシームレスに切替えることができる。
【０１６５】
また、放送受信装置１において、デジタル制御部１０によって、アナログ番号がアナログ制御部１１に問合わせられ、アナログ制御部１１によって、問合わせられたアナログ番号がデジタル制御部１０に送信され、デジタル制御部１０によって、アナログ制御部１１から送信されたアナログ番号と、デジタル番号とのいずれが受信中番号に近いかが判断される。
【０１６６】
同様に、アナログ制御部１１によって、デジタル番号がデジタル制御部１０に問合わせられ、デジタル制御部１０によって、問合わせられたデジタル番号がアナログ制御部１１に送信され、アナログ制御部１１によって、デジタル制御部１０から送信されたデジタル番号と、アナログ番号とのいずれが受信中番号に近いかが判断される。
【０１６７】
このため、デジタル制御部１０、および、アナログ制御部１１が、物理的に分かれている場合であっても、デジタル制御部１０とアナログ制御部１１とが協働して、アナログチャンネルおよびデジタルチャンネルをシームレスに切替えることができる。
【０１６８】
また、放送受信装置１によって、デジタル放送信号の受信中に、アナログチャンネルに切替えられたときは、デジタル復調器１８およびＭＰＥＧデコーダ２２（以下、「デジタル放送受信用ブロック」という）が省電力モードに移行され、デジタルチャンネルに切替えられたときは、アナログ復調器２０（以下、「アナログ放送受信用ブロック」という）が省電力モードに移行される。一方、アナログ放送信号の受信中に、デジタルチャンネルに切替えられたときは、アナログ放送受信用ブロックが省電力モードに移行され、アナログチャンネルに切替えられたときは、デジタル放送受信用ブロックが省電力モードに移行される。
【０１６９】
このように、放送受信装置１によって、アナログ放送受信用ブロックまたはデジタル放送受信用ブロックのうち、用いられていないブロックを省電力モードに移行させることができる。その結果、アナログ放送受信用ブロックまたはデジタル放送受信用ブロックのうち用いられていないブロックの省電力をすることができる。
【０１７０】
［第２実施形態］
第１実施形態においては、リモコン受信部２６からの信号は、デジタル制御部１０およびアナログ制御部１１の両方に入力されるようにした。また、チューナ１６は、デジタル制御部１０およびアナログ制御部１１の両方によって制御されるようにした。
【０１７１】
第２実施形態においては、リモコン受信部２６Ａからの信号は、デジタル制御部１２のみに入力されるようにする。また、チューナ１６Ａは、デジタル制御部１２によって制御されるようにする。第２実施形態においては、第１実施形態と重複する説明は繰返さない。
【０１７２】
図７は、この発明の第２実施形態に従う放送受信装置１Ａの概略構成図である。
【０１７３】
図７を参照して、放送受信装置１Ａは、デジタル制御部１２と、アナログ制御部１３と、チューナ１６Ａと、デジタル復調器１８と、アナログ復調器２０と、ＭＰＥＧデコーダ２２と、リモコン受信部２６Ａとを含む。デジタル復調器１８と、アナログ復調器２０と、ＭＰＥＧデコーダ２２は、第１実施形態と同一であるので説明は繰返さない。
【０１７４】
デジタル制御部１２は、プログラムを実行するＣＰＵ１２Ａと、実行されるプログラム、プログラム実行中のデータ、および、プログラム実行結果のデータを記憶するメモリ１２Ｂとを含む。
【０１７５】
アナログ制御部１３は、プログラムを実行するＣＰＵ１３Ａと、実行されるプログラム、プログラム実行中のデータ、および、プログラム実行結果のデータを記憶するメモリ１３Ｂとを含む。
【０１７６】
チューナ１６Ａは、受信した放送信号の中から、デジタル制御部１２からの指令に応じて選択されたチャンネルに対応する放送信号を抽出する。そして、チューナ１６Ａは、抽出した放送信号がデジタル放送信号である場合、デジタル放送信号をデジタル復調器１８へ出力し、抽出した放送信号がアナログ放送信号である場合、アナログ放送信号をアナログ復調器２０へ出力する。
【０１７７】
リモコン受信部２６Ａは、リモコン４２からの指令を受信してデジタル制御部１２へ出力する。ユーザは、所望の動作を行なわせるためリモコン４２を用いて、指令を送信する。
【０１７８】
アナログチャンネルマップ、および、デジタルチャンネルマップは、第１実施形態の表１および表２で説明したものと同一であるので、説明は繰返さない。
【０１７９】
図８は、この発明の第２実施形態に従うチャンネル切替処理の流れを示すフローチャートである。
【０１８０】
図８を参照して、チャンネル切替処理は、デジタル制御部１２のＣＰＵ１２Ａによって実行される図８の左側のフローチャートで示されるチャンネル切替処理Ｄと、アナログ制御部１３のＣＰＵ１３Ａによって実行される図８の右側のフローチャートで示されるチャンネル切替処理Ａとからなる。
【０１８１】
まず、チャンネル切替処理Ｄにおいて、デジタル制御部１２のＣＰＵ１２Ａは、前述したチャンネルアップ信号をリモコン受信部２６Ａから受けたか否かを判断する（ステップＳ３１１）。チャンネルアップ信号を受けていないと判断した場合（ステップＳ３１１においてＮＯの場合）、デジタル制御部１２のＣＰＵ１２Ａは、実行する処理をステップＳ３５１に進める。
【０１８２】
チャンネルアップ信号を受けたと判断した場合（ステップＳ３１１においてＹＥＳの場合）、デジタル制御部１２のＣＰＵ１２Ａは、現在受信中のチャンネルが前述したデジタルチャンネルである否かを判断する（ステップＳ３１２）。
【０１８３】
デジタルチャンネル受信中であると判断した場合（ステップＳ３１２においてＹＥＳの場合）、デジタル制御部１２のＣＰＵ１２Ａは、前述したＤｕｐ確認コマンドをアナログ制御部１３に送信する（ステップＳ３１３）。
【０１８４】
次に、デジタル制御部１２のＣＰＵ１２Ａは、Ｄｕｐ処理Ｄを実行する（ステップＳ３２０）。その後、デジタル制御部１２のＣＰＵ１２Ａは、実行する処理をステップＳ３５１に進める。Ｄｕｐ処理Ｄについては、後述する図９で説明する。
【０１８５】
一方、チャンネル切替処理Ａにおいて、アナログ制御部１３のＣＰＵ１３Ａは、Ｄｕｐ確認コマンドをデジタル制御部１２から受けたか否かを判断する（ステップＳ４１１）。
【０１８６】
Ｄｕｐ確認コマンドを受けたと判断した場合（ステップＳ４１１においてＹＥＳの場合）、アナログ制御部１３のＣＰＵ１３Ａは、Ｄｕｐ処理Ａを実行する（ステップＳ４２０）。その後、アナログ制御部１３のＣＰＵ１３Ａは、実行する処理をこのチャンネル切替処理Ａの呼出元の処理に戻す。Ｄｕｐ処理Ａについては、後述する図９で説明する。
【０１８７】
図９は、この発明の第２実施形態に従うデジタルチャンネル受信中チャンネルアップ切替処理（Ｄｕｐ処理）の流れを示すフローチャートである。
【０１８８】
図９を参照して、Ｄｕｐ処理は、デジタル制御部１２のＣＰＵ１２Ａによって実行される図９の左側のフローチャートで示されるＤｕｐ処理Ｄと、アナログ制御部１３のＣＰＵ１３Ａによって実行される図９の左側のフローチャートで示されるＤｕｐ処理Ａとからなる。
【０１８９】
まず、Ｄｕｐ処理Ｄにおいて、デジタル制御部１２のＣＰＵ１２Ａは、受信中のチャンネルのチャンネル番号「Ｎ−ｎ」の物理チャンネル番号「Ｎ」をアナログ制御部１３に送信する（ステップＳ３２１）。
【０１９０】
Ｄｕｐ処理Ａにおいて、アナログ制御部１３のＣＰＵ１３Ａは、アナログ復調器２０を省電力モードから通常モードへ移行させる（ステップＳ４２１）。
【０１９１】
次に、アナログ制御部１３のＣＰＵ１３Ａは、物理チャンネル番号「Ｎ」をデジタル制御部１２から受けたか否かを判断する（ステップＳ４２２）。物理チャンネル番号「Ｎ」を受けていないと判断した場合（ステップＳ４２２においてＮＯの場合）、アナログ制御部１３のＣＰＵ１３Ａは、ステップＳ４２２を繰返す。
【０１９２】
一方、物理チャンネル番号「Ｎ」を受けたと判断した場合（ステップＳ４２２においてＹＥＳの場合）、アナログ制御部１３のＣＰＵ１３Ａは、受信した物理チャンネル番号「Ｎ」の昇順方向の次のチャンネルのチャンネル番号「Ｍ」を、メモリ１３Ｂに記憶されているアナログチャンネルマップから読出し、そのチャンネル番号「Ｍ」をデジタル制御部１２に送信する（ステップＳ４２３）。その後、アナログ制御部１３のＣＰＵ１３Ａは、実行する処理をステップＳ４２４に進める。
【０１９３】
次に、Ｄｕｐ処理Ｄにおいて、デジタル制御部１２のＣＰＵ１２Ａは、チャンネル番号「Ｍ」をアナログ制御部１３から受けたか否かを判断する（ステップＳ３２２）。チャンネル番号「Ｍ」を受けていないと判断した場合（ステップＳ３２２においてＮＯの場合）、デジタル制御部１２のＣＰＵ１２Ａは、ステップＳ３２２を繰返す。
【０１９４】
一方、チャンネル番号「Ｍ」を受けたと判断した場合（ステップＳ３２２においてＹＥＳの場合）、デジタル制御部１２のＣＰＵ１２Ａは、チャンネル番号「Ｎ−ｎ」の昇順方向の次のチャンネル番号「Ｌ−ｌ」を、メモリ１２Ｂに記憶されているデジタルチャンネルマップから読出し、そのチャンネル番号「Ｌ−ｌ」の物理チャンネル番号「Ｌ」と、受信したチャンネル番号「Ｍ」とを比較する（ステップＳ３２３）。そして、デジタル制御部１２のＣＰＵ１２Ａは、Ｌ＜Ｍであるか否かを判断する（ステップＳ３２４）。
【０１９５】
Ｌ＜Ｍであると判断した場合（ステップＳ３２４においてＹＥＳの場合）、デジタル制御部１２のＣＰＵ１２Ａは、制御継続コマンドをアナログ制御部１３に送信する（ステップＳ３２５）。
【０１９６】
そして、デジタル制御部１２のＣＰＵ１２Ａは、チャンネル番号「Ｌ−ｌ」へチャンネルを切替えることを指示するチャンネル切替信号をチューナ１６Ａに出力する（ステップＳ３２６）。その後、デジタル制御部１２のＣＰＵ１２Ａは、実行する処理をこのＤｕｐ処理Ｄの呼出元の処理に戻す。
【０１９７】
一方、Ｌ＜Ｍでないと判断した場合（ステップＳ３２４においてＮＯの場合）、デジタル制御部１２のＣＰＵ１２Ａは、制御移行コマンドをアナログ制御部１３に送信する（ステップＳ３２７）。
【０１９８】
次に、デジタル制御部１２のＣＰＵ１２Ａは、チャンネル番号「Ｍ」へチャンネルを切替えることを指示するチャンネル切替信号をチューナ１６Ａに出力する（ステップＳ３２８）。
【０１９９】
そして、デジタル制御部１２のＣＰＵ１２Ａは、デジタル復調器１８およびＭＰＥＧデコーダ２２を通常モードから省電力モードに移行させる（ステップＳ３２９）。その後、デジタル制御部１２のＣＰＵ１２Ａは、実行する処理をこのＤｕｐ処理Ｄの呼出元の処理に戻す。
【０２００】
Ｄｕｐ処理Ａにおいて、アナログ制御部１３のＣＰＵ１３Ａは、アナログ制御部１２から制御継続コマンドを受けたか否かを判断する（ステップＳ４２４）。制御継続コマンドを受けていないと判断した場合（ステップＳ４２４においてＮＯの場合）、アナログ制御部１３のＣＰＵ１３Ａは、制御移行コマンドを受けたか否かを判断する（ステップＳ４２６）。制御移行コマンドを受けていないと判断した場合（ステップＳ４２６においてＮＯの場合）、アナログ制御部１３のＣＰＵ１３Ａは、実行する処理をステップＳ４２４の処理に戻す。
【０２０１】
制御継続コマンドを受けたと判断した場合（ステップＳ４２４においてＹＥＳの場合）、アナログ制御部１３のＣＰＵ１３Ａは、アナログ復調器２０を通常モードから省電力モードに移行させる（ステップＳ４２５）。その後、アナログ制御部１３のＣＰＵ１３Ａは、実行する処理をこのＤｕｐ処理Ａの呼出元の処理に戻す。
【０２０２】
制御移行コマンドを受けたと判断した場合（ステップＳ４２６においてＹＥＳの場合）、アナログ制御部１３のＣＰＵ１３Ａは、実行する処理をこのＤｕｐ処理Ａの呼出元の処理に戻す。
【０２０３】
このように、デジタルチャンネルを受信中にチャンネルアップ信号を受けた場合、Ｄｕｐ処理ＤおよびＤｕｐ処理Ａが実行されることによって、昇順方向の次のチャンネルがデジタルチャンネルであるときには、そのデジタルチャンネルに切替える制御が行なわれ、デジタル制御部１２がそのまま放送信号の受信制御を継続し、アナログ復調器２０が省電力モードに移行される。また、昇順方向の次のチャンネルがアナログチャンネルであるときには、そのアナログチャンネルに切替える制御が行なわれ、アナログ制御部１３に放送信号の受信制御が移行され、デジタル復調器１８およびＭＰＥＧデコーダ２２が省電力モードに移行される。
【０２０４】
図８に戻って、チャンネル切替処理Ａにおいて、デジタルチャンネル受信中でないと判断した場合（ステップＳ３１２においてＮＯの場合）、デジタル制御部１２のＣＰＵ１２Ａは、前述したＡｕｐ確認コマンドをアナログ制御部１３に送信する（ステップＳ３３１）。
【０２０５】
次に、デジタル制御部１２のＣＰＵ１２Ａは、Ａｕｐ処理Ｄを実行する（ステップＳ３４０）。その後、デジタル制御部１２のＣＰＵ１２Ａは、実行する処理をステップＳ３５１に進める。Ａｕｐ処理Ｄについては、後述する図１０で説明する。
【０２０６】
チャンネル切替処理Ａにおいて、Ｄｕｐ確認コマンドを受けていないと判断した場合（ステップＳ４１１においてＮＯの場合）、アナログ制御部１３のＣＰＵ１３Ａは、Ａｕｐ確認コマンドをデジタル制御部１２から受けたか否かを判断する（ステップＳ４３１）。コマンドを受けていないと判断した場合（ステップＳ４３１においてＮＯの場合）、アナログ制御部１３のＣＰＵ１３Ａは、実行する処理をステップＳ４５１に進める。
【０２０７】
一方、コマンドを受けたと判断した場合（ステップＳ４３１においてＹＥＳの場合）、アナログ制御部１３のＣＰＵ１３Ａは、Ａｕｐ処理Ａを実行する（ステップＳ４４０）。その後、アナログ制御部１３のＣＰＵ１３Ａは、実行する処理をこのチャンネル切替処理Ａの呼出元の処理に戻す。Ａｕｐ処理Ａについては、後述する図１０で説明する。
【０２０８】
図１０は、この発明の第２実施形態に従うアナログチャンネル受信中チャンネルアップ切替処理（Ａｕｐ処理）の流れを示すフローチャートである。
【０２０９】
図１０を参照して、Ａｕｐ処理は、デジタル制御部１２のＣＰＵ１２Ａによって実行される図１０の左側のフローチャートで示されるＡｕｐ処理Ｄと、アナログ制御部１３のＣＰＵ１３Ａによって実行される図１０の左側のフローチャートで示されるＡｕｐ処理Ａとからなる。
【０２１０】
まず、Ａｕｐ処理Ａにおいて、アナログ制御部１３のＣＰＵ１３Ａは、受信中のチャンネルの物理チャンネル番号「Ｎ」をデジタル制御部１２に送信する（ステップＳ４４１）。
【０２１１】
Ａｕｐ処理Ｄにおいて、デジタル制御部１２のＣＰＵ１２Ａは、デジタル復調器１８、および、ＭＰＥＧデコーダ２２を省電力モードから通常モードへ移行させる（ステップＳ３４１）。
【０２１２】
次に、デジタル制御部１２のＣＰＵ１２Ａは、物理チャンネル番号「Ｎ」をアナログ制御部１３から受けたか否かを判断する（ステップＳ３４２）。物理チャンネル番号「Ｎ」を受けていないと判断した場合（ステップＳ３４２においてＮＯの場合）、デジタル制御部１２のＣＰＵ１２Ａは、ステップＳ３４２を繰返す。
【０２１３】
一方、物理チャンネル番号「Ｎ」を受けたと判断した場合（ステップＳ３４２においてＹＥＳの場合）、デジタル制御部１２のＣＰＵ１２Ａは、受信した物理チャンネル番号「Ｎ」の昇順方向の次のチャンネルのチャンネル番号「Ｍ−ｍ」を、メモリ１２Ｂに記憶されているデジタルチャンネルマップから読出し、そのチャンネル番号「Ｍ−ｍ」をアナログ制御部１３に送信する（ステップＳ３４３）。その後、デジタル制御部１２のＣＰＵ１２Ａは、実行する処理をステップＳ３４４に進める。
【０２１４】
次に、Ａｕｐ処理Ａにおいて、アナログ制御部１３のＣＰＵ１３Ａは、チャンネル番号「Ｍ−ｍ」をデジタル制御部１２から受けたか否かを判断する（ステップＳ４４２）。チャンネル番号「Ｍ−ｍ」を受けていないと判断した場合（ステップＳ４４２においてＮＯの場合）、アナログ制御部１３のＣＰＵ１３Ａは、ステップＳ４４２を繰返す。
【０２１５】
一方、チャンネル番号「Ｍ−ｍ」を受けたと判断した場合（ステップＳ４４２においてＹＥＳの場合）、アナログ制御部１３のＣＰＵ１３Ａは、チャンネル番号「Ｎ」の昇順方向の次のチャンネル番号「Ｌ」を、メモリ１３Ｂに記憶されているアナログチャンネルマップから読出し、そのチャンネル番号「Ｌ」と、受信したチャンネル番号「Ｍ−ｍ」の物理チャンネル番号「Ｍ」とを比較する（ステップＳ４４３）。そして、アナログ制御部１３のＣＰＵ１３Ａは、Ｍ≧Ｌであるか否かを判断する（ステップＳ４４４）。
【０２１６】
Ｍ≧Ｌであると判断した場合（ステップＳ４４４においてＹＥＳの場合）、アナログ制御部１３のＣＰＵ１３Ａは、チャンネル番号「Ｌ」へチャンネルを切替えることを指示するアナログチャンネル切替指示コマンドをデジタル制御部１２に送信する（ステップＳ４４５）。その後、アナログ制御部１３のＣＰＵ１３Ａは、実行する処理をこのＡｕｐ処理Ａの呼出元の処理に戻す。
【０２１７】
一方、Ｍ≧Ｌでないと判断した場合（ステップＳ４４４においてＮＯの場合）、アナログ制御部１３のＣＰＵ１３Ａは、チャンネル番号「Ｍ−ｍ」へチャンネルを切替えることを指示するデジタルチャンネル切替指示コマンドをデジタル制御部１２に送信する（ステップＳ４４６）。
【０２１８】
そして、アナログ制御部１３のＣＰＵ１３Ａは、アナログ復調器２０を通常モードから省電力モードに移行させる（ステップＳ４４７）。その後、アナログ制御部１３のＣＰＵ１３Ａは、実行する処理をこのＡｕｐ処理Ａの呼出元の処理に戻す。
【０２１９】
Ａｕｐ処理Ｄにおいて、デジタル制御部１２のＣＰＵ１２Ａは、アナログ制御部１１からチャンネル番号「Ｌ」へのアナログチャンネル切替指示コマンドを受けたか否かを判断する（ステップＳ３４４）。アナログチャンネル切替指示コマンドを受けていないと判断した場合（ステップＳ３４４においてＮＯの場合）、デジタル制御部１２のＣＰＵ１２Ａは、チャンネル番号「Ｍ−ｍ」へのデジタルチャンネル切替指示コマンドを受けたか否かを判断する（ステップＳ４４７）。デジタルチャンネル切替指示コマンドを受けていないと判断した場合（ステップＳ４４７においてＮＯの場合）、デジタル制御部１２のＣＰＵ１２Ａは、実行する処理をステップＳ３４４の処理に戻す。
【０２２０】
アナログチャンネル切替指示コマンドを受けたと判断した場合（ステップＳ３４４においてＹＥＳの場合）、デジタル制御部１２のＣＰＵ１２Ａは、チャンネル番号「Ｌ」のアナログチャンネルへチャンネルを切替えることを指示するチャンネル切替信号をチューナ１６Ａに出力する（ステップＳ３４５）。
【０２２１】
そして、デジタル制御部１２のＣＰＵ１２Ａは、デジタル復調器１８、および、ＭＰＥＧデコーダ２２を通常モードから省電力モードに移行させる（ステップＳ３４６）。その後、デジタル制御部１２のＣＰＵ１２Ａは、実行する処理をこのＡｕｐ処理Ｄの呼出元の処理に戻す。
【０２２２】
デジタルチャンネル切替指示コマンドを受けたと判断した場合（ステップＳ３４７においてＹＥＳの場合）、デジタル制御部１２のＣＰＵ１２Ａは、チャンネル番号「Ｍ−ｍ」のデジタルチャンネルへチャンネルを切替えることを指示するチャンネル切替信号をチューナ１６Ａに出力する（ステップＳ３４８）。その後、デジタル制御部１２のＣＰＵ１２Ａは、実行する処理をこのＡｕｐ処理Ｄの呼出元の処理に戻す。
【０２２３】
このように、アナログチャンネルを受信中にチャンネルアップ信号を受けた場合、Ａｕｐ処理ＤおよびＡｕｐ処理Ａが実行されることによって、昇順方向の次のチャンネルがアナログチャンネルであるときには、そのアナログチャンネルに切替える制御が行なわれ、アナログ制御部１３がそのまま放送信号の受信制御を継続し、デジタル復調器１８およびＭＰＥＧデコーダ２２が省電力モードに移行される。また、昇順方向の次のチャンネルがデジタルチャンネルであるときには、そのデジタルチャンネルに切替える制御が行なわれ、デジタル制御部１２に放送信号の受信制御が移行され、アナログ復調器２０が省電力モードに移行される。
【０２２４】
図８に戻って、チャンネル切替処理Ｄにおいて、デジタル制御部１２のＣＰＵ１２Ａは、前述したチャンネルダウン信号をリモコン受信部２６Ａから受けたか否かを判断する（ステップＳ３５１）。チャンネルダウン信号を受けていないと判断した場合（ステップＳ３５１においてＮＯの場合）、デジタル制御部１２のＣＰＵ１２Ａは、実行する処理をこのチャンネル切替処理Ｄの呼出元の処理に戻す。
【０２２５】
チャンネルダウン信号を受けたと判断した場合（ステップＳ３５１においてＹＥＳの場合）、デジタル制御部１２のＣＰＵ１２Ａは、現在受信中のチャンネルがデジタルチャンネルであるか否かを判断する（ステップＳ３５２）。
【０２２６】
デジタルチャンネル受信中であると判断した場合（ステップＳ３５２においてＹＥＳの場合）、デジタル制御部１２のＣＰＵ１２Ａは、前述したＤｄｏｗｎ確認コマンドをアナログ制御部１３に送信する（ステップＳ３５３）。
【０２２７】
次に、デジタル制御部１２のＣＰＵ１２Ａは、Ｄｄｏｗｎ処理Ｄを実行する（ステップＳ３６０）。その後、デジタル制御部１２のＣＰＵ１２Ａは、実行する処理をこのチャンネル切替処理Ｄの呼出元の処理に戻す。Ｄｄｏｗｎ処理Ｄについては、後述する図１１で説明する。
【０２２８】
一方、チャンネル切替処理Ａにおいて、アナログ制御部１３のＣＰＵ１３Ａは、Ｄｄｏｗｎ確認コマンドをデジタル制御部１２から受けたか否かを判断する（ステップＳ４５１）。
【０２２９】
Ｄｄｏｗｎ確認コマンドを受けたと判断した場合（ステップＳ４５１においてＹＥＳの場合）、アナログ制御部１３のＣＰＵ１３Ａは、Ｄｄｏｗｎ処理Ａを実行する（ステップＳ４６０）。その後、アナログ制御部１３のＣＰＵ１３Ａは、実行する処理をこのチャンネル切替処理Ａの呼出元の処理に戻す。Ｄｄｏｗｎ処理Ａについては、後述する図１１で説明する。
【０２３０】
図１１は、この発明の第２実施形態に従うデジタルチャンネル受信中チャンネルダウン切替処理（Ｄｄｏｗｎ処理）の流れを示すフローチャートである。
【０２３１】
図１１を参照して、Ｄｄｏｗｎ処理は、デジタル制御部１２のＣＰＵ１２Ａによって実行される図１１の左側のフローチャートで示されるＤｄｏｗｎ処理Ｄと、アナログ制御部１３のＣＰＵ１３Ａによって実行される図１１の左側のフローチャートで示されるＤｄｏｗｎ処理Ａとからなる。
【０２３２】
まず、Ｄｄｏｗｎ処理Ｄにおいて、デジタル制御部１２のＣＰＵ１２Ａは、受信中のチャンネルのチャンネル番号「Ｎ−ｎ」の物理チャンネル番号「Ｎ」をアナログ制御部１３に送信する（ステップＳ３６１）。
【０２３３】
Ｄｄｏｗｎ処理Ａにおいて、アナログ制御部１３のＣＰＵ１３Ａは、アナログ復調器２０を省電力モードから通常モードへ移行させる（ステップＳ４６１）。
【０２３４】
次に、アナログ制御部１３のＣＰＵ１３Ａは、物理チャンネル番号「Ｎ」をデジタル制御部１２から受けたか否かを判断する（ステップＳ４６２）。物理チャンネル番号「Ｎ」を受けていないと判断した場合（ステップＳ４６２においてＮＯの場合）、アナログ制御部１３のＣＰＵ１３Ａは、ステップＳ４６２を繰返す。
【０２３５】
一方、物理チャンネル番号「Ｎ」を受けたと判断した場合（ステップＳ４６２においてＹＥＳの場合）、アナログ制御部１３のＣＰＵ１３Ａは、受信した物理チャンネル番号「Ｎ」の降順方向の次のチャンネルのチャンネル番号「Ｍ」を、メモリ１３Ｂに記憶されているアナログチャンネルマップから読出し、そのチャンネル番号「Ｍ」をデジタル制御部１２に送信する（ステップＳ４６３）。その後、アナログ制御部１３のＣＰＵ１３Ａは、実行する処理をステップＳ４６４に進める。
【０２３６】
次に、Ｄｄｏｗｎ処理Ｄにおいて、デジタル制御部１２のＣＰＵ１２Ａは、チャンネル番号「Ｍ」をアナログ制御部１３から受けたか否かを判断する（ステップＳ３６２）。チャンネル番号「Ｍ」を受けていないと判断した場合（ステップＳ３６２においてＮＯの場合）、デジタル制御部１２のＣＰＵ１２Ａは、ステップＳ３６２を繰返す。
【０２３７】
一方、チャンネル番号「Ｍ」を受けたと判断した場合（ステップＳ３６２においてＹＥＳの場合）、デジタル制御部１２のＣＰＵ１２Ａは、チャンネル番号「Ｎ−ｎ」の降順方向の次のチャンネル番号「Ｌ−ｌ」を、メモリ１２Ｂに記憶されているデジタルチャンネルマップから読出し、そのチャンネル番号「Ｌ−ｌ」の物理チャンネル番号「Ｌ」と、受信したチャンネル番号「Ｍ」とを比較する（ステップＳ３６３）。そして、デジタル制御部１２のＣＰＵ１２Ａは、Ｌ≧Ｍであるか否かを判断する（ステップＳ３６４）。
【０２３８】
Ｌ≧Ｍであると判断した場合（ステップＳ３６４においてＹＥＳの場合）、デジタル制御部１２のＣＰＵ１２Ａは、制御継続コマンドをアナログ制御部１３に送信する（ステップＳ３６５）。
【０２３９】
そして、デジタル制御部１２のＣＰＵ１２Ａは、チャンネル番号「Ｌ−ｌ」へチャンネルを切替えることを指示するチャンネル切替信号をチューナ１６Ａに出力する（ステップＳ３６６）。その後、デジタル制御部１２のＣＰＵ１２Ａは、実行する処理をこのＤｕｐ処理Ｄの呼出元の処理に戻す。
【０２４０】
一方、Ｌ≧Ｍでないと判断した場合（ステップＳ３６４においてＮＯの場合）、デジタル制御部１２のＣＰＵ１２Ａは、制御移行コマンドをアナログ制御部１３に送信する（ステップＳ３６７）。
【０２４１】
次に、デジタル制御部１２のＣＰＵ１２Ａは、チャンネル番号「Ｍ」へチャンネルを切替えることを指示するチャンネル切替信号をチューナ１６Ａに出力する（ステップＳ３６８）。
【０２４２】
そして、デジタル制御部１２のＣＰＵ１２Ａは、デジタル復調器１８およびＭＰＥＧデコーダ２２を通常モードから省電力モードに移行させる（ステップＳ３６９）。その後、デジタル制御部１２のＣＰＵ１２Ａは、実行する処理をこのＤｄｏｗｎ処理Ｄの呼出元の処理に戻す。
【０２４３】
Ｄｄｏｗｎ処理Ａにおいて、アナログ制御部１３のＣＰＵ１３Ａは、アナログ制御部１２から制御継続コマンドを受けたか否かを判断する（ステップＳ４６４）。制御継続コマンドを受けていないと判断した場合（ステップＳ４６４においてＮＯの場合）、アナログ制御部１３のＣＰＵ１３Ａは、制御移行コマンドを受けたか否かを判断する（ステップＳ４６６）。制御移行コマンドを受けていないと判断した場合（ステップＳ４６６においてＮＯの場合）、アナログ制御部１３のＣＰＵ１３Ａは、実行する処理をステップＳ４６４の処理に戻す。
【０２４４】
制御継続コマンドを受けたと判断した場合（ステップＳ４６４においてＹＥＳの場合）、アナログ制御部１３のＣＰＵ１３Ａは、アナログ復調器２０を通常モードから省電力モードに移行させる（ステップＳ４６５）。その後、アナログ制御部１３のＣＰＵ１３Ａは、実行する処理をこのＤｄｏｗｎ処理Ａの呼出元の処理に戻す。
【０２４５】
制御移行コマンドを受けたと判断した場合（ステップＳ４６６においてＹＥＳの場合）、アナログ制御部１３のＣＰＵ１３Ａは、実行する処理をこのＤｄｏｗｎ処理Ａの呼出元の処理に戻す。
【０２４６】
このように、デジタルチャンネルを受信中にチャンネルダウン信号を受けた場合、Ｄｄｏｗｎ処理ＤおよびＤｄｏｗｎ処理Ａが実行されることによって、降順方向の次のチャンネルがデジタルチャンネルであるときには、そのデジタルチャンネルに切替える制御が行なわれ、デジタル制御部１２がそのまま放送信号の受信制御を継続し、アナログ復調器２０が省電力モードに移行される。また、降順方向の次のチャンネルがアナログチャンネルであるときには、そのアナログチャンネルに切替える制御が行なわれ、アナログ制御部１３に放送信号の受信制御が移行され、デジタル復調器１８およびＭＰＥＧデコーダ２２が省電力モードに移行される。
【０２４７】
図８に戻って、チャンネル切替処理Ａにおいて、デジタルチャンネル受信中でないと判断した場合（ステップＳ３５２においてＮＯの場合）、デジタル制御部１２のＣＰＵ１２Ａは、前述したＡｄｏｗｎ確認コマンドをアナログ制御部１３に送信する（ステップＳ３７１）。
【０２４８】
次に、デジタル制御部１２のＣＰＵ１２Ａは、Ａｄｏｗｎ処理Ｄを実行する（ステップＳ３８０）。その後、デジタル制御部１２のＣＰＵ１２Ａは、実行する処理をこのチャンネル切替処理Ｄの呼出元の処理に戻す。Ａｄｏｗｎ処理Ｄについては、後述する図１２で説明する。
【０２４９】
チャンネル切替処理Ａにおいて、Ｄｄｏｗｎ確認コマンドを受けていないと判断した場合（ステップＳ４５１においてＮＯの場合）、アナログ制御部１３のＣＰＵ１３Ａは、Ａｄｏｗｎ確認コマンドをデジタル制御部１２から受けたか否かを判断する（ステップＳ４７１）。コマンドを受けていないと判断した場合（ステップＳ４７１においてＮＯの場合）、アナログ制御部１３のＣＰＵ１３Ａは、実行する処理をこのチャンネル切替処理Ａの呼出元の処理に戻す。
【０２５０】
一方、コマンドを受けたと判断した場合（ステップＳ４７１においてＹＥＳの場合）、アナログ制御部１３のＣＰＵ１３Ａは、Ａｄｏｗｎ処理Ａを実行する（ステップＳ４８０）。その後、アナログ制御部１３のＣＰＵ１３Ａは、実行する処理をこのチャンネル切替処理Ａの呼出元の処理に戻す。Ａｄｏｗｎ処理Ａについては、後述する図１２で説明する。
【０２５１】
図１２は、この発明の第２実施形態に従うアナログチャンネル受信中チャンネルダウン切替処理（Ａｄｏｗｎ処理）の流れを示すフローチャートである。
【０２５２】
図１２を参照して、Ａｄｏｗｎ処理は、デジタル制御部１２のＣＰＵ１２Ａによって実行される図１２の左側のフローチャートで示されるＡｄｏｗｎ処理Ｄと、アナログ制御部１３のＣＰＵ１３Ａによって実行される図１２の左側のフローチャートで示されるＡｄｏｗｎ処理Ａとからなる。
【０２５３】
まず、Ａｄｏｗｎ処理Ａにおいて、アナログ制御部１３のＣＰＵ１３Ａは、受信中のチャンネルの物理チャンネル番号「Ｎ」をデジタル制御部１２に送信する（ステップＳ４８１）。
【０２５４】
Ａｄｏｗｎ処理Ｄにおいて、デジタル制御部１２のＣＰＵ１２Ａは、デジタル復調器１８、および、ＭＰＥＧデコーダ２２を省電力モードから通常モードへ移行させる（ステップＳ３８１）。
【０２５５】
次に、デジタル制御部１２のＣＰＵ１２Ａは、物理チャンネル番号「Ｎ」をアナログ制御部１３から受けたか否かを判断する（ステップＳ３８２）。物理チャンネル番号「Ｎ」を受けていないと判断した場合（ステップＳ３８２においてＮＯの場合）、デジタル制御部１２のＣＰＵ１２Ａは、ステップＳ３８２を繰返す。
【０２５６】
一方、物理チャンネル番号「Ｎ」を受けたと判断した場合（ステップＳ３８２においてＹＥＳの場合）、デジタル制御部１２のＣＰＵ１２Ａは、受信した物理チャンネル番号「Ｎ」の降順方向の次のチャンネルのチャンネル番号「Ｍ−ｍ」を、メモリ１２Ｂに記憶されているデジタルチャンネルマップから読出し、そのチャンネル番号「Ｍ−ｍ」をアナログ制御部１３に送信する（ステップＳ３８３）。その後、デジタル制御部１２のＣＰＵ１２Ａは、実行する処理をステップＳ３８４に進める。
【０２５７】
次に、Ａｄｏｗｎ処理Ａにおいて、アナログ制御部１３のＣＰＵ１３Ａは、チャンネル番号「Ｍ−ｍ」をデジタル制御部１２から受けたか否かを判断する（ステップＳ４８２）。チャンネル番号「Ｍ−ｍ」を受けていないと判断した場合（ステップＳ４８２においてＮＯの場合）、アナログ制御部１３のＣＰＵ１３Ａは、ステップＳ４８２を繰返す。
【０２５８】
一方、チャンネル番号「Ｍ−ｍ」を受けたと判断した場合（ステップＳ４８２においてＹＥＳの場合）、アナログ制御部１３のＣＰＵ１３Ａは、チャンネル番号「Ｎ」の降順方向の次のチャンネル番号「Ｌ」を、メモリ１３Ｂに記憶されているアナログチャンネルマップから読出し、そのチャンネル番号「Ｌ」と、受信したチャンネル番号「Ｍ−ｍ」の物理チャンネル番号「Ｍ」とを比較する（ステップＳ４８３）。そして、アナログ制御部１３のＣＰＵ１３Ａは、Ｍ＜Ｌであるか否かを判断する（ステップＳ４８４）。
【０２５９】
Ｍ＜Ｌであると判断した場合（ステップＳ４８４においてＹＥＳの場合）、アナログ制御部１３のＣＰＵ１３Ａは、チャンネル番号「Ｌ」へチャンネルを切替えることを指示するアナログチャンネル切替指示コマンドをデジタル制御部１２に送信する（ステップＳ４８５）。その後、アナログ制御部１３のＣＰＵ１３Ａは、実行する処理をこのＡｄｏｗｎ処理Ａの呼出元の処理に戻す。
【０２６０】
一方、Ｍ＜Ｌでないと判断した場合（ステップＳ４８４においてＮＯの場合）、アナログ制御部１３のＣＰＵ１３Ａは、チャンネル番号「Ｍ−ｍ」へチャンネルを切替えることを指示するデジタルチャンネル切替指示コマンドをデジタル制御部１２に送信する（ステップＳ４８６）。
【０２６１】
そして、アナログ制御部１３のＣＰＵ１３Ａは、アナログ復調器２０を通常モードから省電力モードに移行させる（ステップＳ４８７）。その後、アナログ制御部１３のＣＰＵ１３Ａは、実行する処理をこのＡｄｏｗｎ処理Ａの呼出元の処理に戻す。
【０２６２】
Ａｄｏｗｎ処理Ｄにおいて、デジタル制御部１２のＣＰＵ１２Ａは、アナログ制御部１１からチャンネル番号「Ｌ」へのアナログチャンネル切替指示コマンドを受けたか否かを判断する（ステップＳ３８４）。アナログチャンネル切替指示コマンドを受けていないと判断した場合（ステップＳ３８４においてＮＯの場合）、デジタル制御部１２のＣＰＵ１２Ａは、チャンネル番号「Ｍ−ｍ」へのデジタルチャンネル切替指示コマンドを受けたか否かを判断する（ステップＳ４８７）。デジタルチャンネル切替指示コマンドを受けていないと判断した場合（ステップＳ４８７においてＮＯの場合）、デジタル制御部１２のＣＰＵ１２Ａは、実行する処理をステップＳ３８４の処理に戻す。
【０２６３】
アナログチャンネル切替指示コマンドを受けたと判断した場合（ステップＳ３８４においてＹＥＳの場合）、デジタル制御部１２のＣＰＵ１２Ａは、チャンネル番号「Ｌ」のアナログチャンネルへチャンネルを切替えることを指示するチャンネル切替信号をチューナ１６Ａに出力する（ステップＳ３８５）。
【０２６４】
そして、デジタル制御部１２のＣＰＵ１２Ａは、デジタル復調器１８、および、ＭＰＥＧデコーダ２２を通常モードから省電力モードに移行させる（ステップＳ３８６）。その後、デジタル制御部１２のＣＰＵ１２Ａは、実行する処理をこのＡｄｏｗｎ処理Ｄの呼出元の処理に戻す。
【０２６５】
デジタルチャンネル切替指示コマンドを受けたと判断した場合（ステップＳ３８７においてＹＥＳの場合）、デジタル制御部１２のＣＰＵ１２Ａは、チャンネル番号「Ｍ−ｍ」のデジタルチャンネルへチャンネルを切替えることを指示するチャンネル切替信号をチューナ１６Ａに出力する（ステップＳ３８８）。その後、デジタル制御部１２のＣＰＵ１２Ａは、実行する処理をこのＡｄｏｗｎ処理Ｄの呼出元の処理に戻す。
【０２６６】
このように、アナログチャンネルを受信中にチャンネルダウン信号を受けた場合、Ａｄｏｗｎ処理ＤおよびＡｄｏｗｎ処理Ａが実行されることによって、降順方向の次のチャンネルがアナログチャンネルであるときには、そのアナログチャンネルに切替える制御が行なわれ、アナログ制御部１３がそのまま放送信号の受信制御を継続し、デジタル復調器１８およびＭＰＥＧデコーダ２２が省電力モードに移行される。また、降順方向の次のチャンネルがデジタルチャンネルであるときには、そのデジタルチャンネルに切替える制御が行なわれ、デジタル制御部１２に放送信号の受信制御が移行され、アナログ復調器２０が省電力モードに移行される。
【０２６７】
以上説明したように、第２実施形態に従う放送受信装置１Ａによって、チャンネルの切替方向の指示が受付けられたときに、デジタルチャンネル受信中である場合（つまり、チューナ１６Ａによってデジタル放送信号の抽出中である場合）、アナログチャンネルマップで示される順に従った受信中のチャンネルの切替方向の次のチャンネルのチャンネル番号（アナログ番号）と、デジタルチャンネルマップで示される順に従った受信中のチャンネルの切替方向の次のチャンネルのチャンネル番号（デジタル番号）とのいずれが、受信中のチャンネル番号に近いかが判断され、アナログ番号が近いと判断された場合、アナログ番号のチャンネルに切替えられ、デジタル番号が近いと判断された場合、デジタル番号のチャンネルに切替えられる。
【０２６８】
また、切替方向の指示が受付けられたときに、アナログチャンネル受信中である場合（つまり、チューナ１６Ａによってアナログ放送信号の抽出中である場合）、デジタル番号と、アナログ番号とのいずれが、受信中番号に近いかが判断され、デジタル番号が近いと判断された場合、デジタル番号のチャンネルに切替えられ、アナログ番号が近いと判断された場合、アナログ番号のチャンネルに切替えられる。
【０２６９】
このように、放送受信装置１Ａによって、デジタル放送信号またはアナログ放送信号のいずれを受信中の場合であっても、受信中のチャンネルの番号に近い番号のデジタルチャンネルまたはアナログチャンネルに切替えられる。その結果、アナログチャンネルおよびデジタルチャンネルをシームレスに切替えることができる。
【０２７０】
また、放送受信装置１Ａにおいて、デジタル制御部１２によって、アナログ番号がアナログ制御部１３に問合わせられ、アナログ制御部１３によって、問合わせられたアナログ番号がデジタル制御部１２に送信され、デジタル制御部１２によって、アナログ制御部１３から送信されたアナログ番号と、デジタル番号とのいずれが受信中番号に近いかが判断される。
【０２７１】
同様に、アナログ制御部１３によって、デジタル番号がデジタル制御部１２に問合わせられ、デジタル制御部１２によって、問合わせられたデジタル番号がアナログ制御部１３に送信され、アナログ制御部１３によって、デジタル制御部１２から送信されたデジタル番号と、アナログ番号とのいずれが受信中番号に近いかが判断される。
【０２７２】
このため、デジタル制御部１２、および、アナログ制御部１３が、物理的に分かれている場合であっても、デジタル制御部１３とアナログ制御部１３とが協働して、アナログチャンネルおよびデジタルチャンネルをシームレスに切替えることができる。
【０２７３】
また、放送受信装置１Ａによって、デジタル放送信号の受信中に、アナログチャンネルに切替えられたときは、デジタル復調器１８およびＭＰＥＧデコーダ２２（デジタル放送受信用ブロック）が省電力モードに移行され、デジタルチャンネルに切替えられたときは、アナログ復調器２０（アナログ放送受信用ブロック）が省電力モードに移行される。一方、アナログ放送信号の受信中に、デジタルチャンネルに切替えられたときは、アナログ放送受信用ブロックが省電力モードに移行され、アナログチャンネルに切替えられたときは、デジタル放送受信用ブロックが省電力モードにされる。
【０２７４】
このように、放送受信装置１Ａによって、アナログ放送受信用ブロックまたはデジタル放送受信用ブロックのうち、用いられていないブロックを省電力モードに移行させることができる。その結果、アナログ放送受信用ブロックまたはデジタル放送受信用ブロックのうち用いられていないブロックの省電力をすることができる。
【０２７５】
なお、第２実施形態においては、リモコン受信部２６からの信号が、デジタル制御部１２に入力されるようにして、チューナ１６Ａは、デジタル制御部１２によって制御されるようにした。しかし、これに限定されず、リモコン受信部２６Ａからの信号が、アナログ制御部１３に入力されるようにして、チューナ１６Ａは、アナログ制御部１３によって制御されるようにしてもよい。
【０２７６】
また、第２実施形態においては、リモコン受信部２６からの信号が、デジタル制御部１２に入力されるようにして、チューナ１６Ａは、デジタル制御部１２によって制御されるようにした。しかし、たとえば、ステップＳ３１１およびステップＳ３５１においてそれぞれデジタル制御部１２によってチャンネルアップ信号およびチャンネルダウン信号がリモコン受信部２６から受信された場合には、それぞれステップＳ３１３、ステップＳ３３１およびステップＳ３５３、ステップＳ３７１においてコマンドが送信されることによって、チャンネルアップ信号およびチャンネルダウン信号が受信された旨がアナログ制御部１３に入力される。
【０２７７】
また、ステップＳ４４５、ステップＳ４４６、ステップＳ４８５、および、ステップＳ４８６がアナログ制御部１３によって実行されること応じて、それぞれ、ステップＳ３４５、ステップＳ３４８、ステップＳ３８５、および、ステップＳ３８８において、チューナ１６Ａが制御される。
【０２７８】
このため、第２実施形態においても、実質的に、リモコン受信部２６からの信号が、アナログ制御部１３にも入力されて、チューナ１６Ａは、アナログ制御部１３によっても制御されている。このように、チャンネルの切替方向の指示の入力や、チューナ１６Ａの制御が、直接的なものだけに限定されず、間接的なものであってもよい。
【０２７９】
また、第１実施形態および第２実施形態においては、放送受信装置１，１Ａについて説明した。しかし、放送受信装置１，１Ａと、放送受信装置１，１Ａからの映像信号および音声信号を出力するモニタ４０とを含む放送受像装置としてもよい。
【０２８０】
また、放送受信装置１，１Ａと、放送受信装置１，１Ａからの映像信号および音声信号を録画する録画装置とを含む放送録画装置としてもよい。
【０２８１】
また、放送受信装置１，１Ａと、放送受信装置１，１Ａからの映像信号および音声信号を録画する録画装置と、放送受信装置１，１Ａまたは録画装置からの映像信号および音声信号を出力するモニタ４０とを含む放送受像録画装置としてもよい。
【０２８２】
また、第１実施形態においては、デジタル制御部１０およびアナログ制御部１１のうちの放送信号を受信中の側の制御部がチャンネルの切替方向の指示を受けたか否かを判断して、切替方向の指示を受けた場合はその旨を他方の制御部に伝達するようにした。
【０２８３】
しかし、これに限定されず、放送信号を受信中の側の制御部、および、放送信号を受信中でない側の制御部の両方の制御部が、チャンネルの切替方向の指示を受けたか否かを判断するようにしてもよい。
【０２８４】
たとえば、デジタル制御部１０およびアナログ制御部１１の両方によって、それぞれ、ステップＳ１１１のようにチャンネルアップ信号が入力されたか否かを判断して、ステップＳ１１２のようにデジタルチャンネルを受信中か否かを判断して、チャンネルアップ信号が入力され、かつ、デジタルチャンネル受信中である場合に、Ｄｕｐ処理ＤおよびＤアップ処理Ａを実行するようにしてもよい。
【０２８５】
また、第１実施形態および第２実施形態においては、放送受信装置１，１Ａとして発明を説明した。しかし、これに限定されず、図２から図６の処理または図８から図１２までの処理を放送受信装置１，１Ａで実行するチャンネル切替方法として発明を捉えることができる。
【０２８６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０２８７】
【図１】この発明の第１実施形態に従う放送受信装置の概略構成図である。
【図２】この発明の第１実施形態に従うチャンネル切替処理の流れを示すフローチャートである。
【図３】この発明の第１実施形態に従うデジタルチャンネル受信中チャンネルアップ切替処理の流れを示すフローチャートである。
【図４】この発明の第１実施形態に従うアナログチャンネル受信中チャンネルアップ切替処理の流れを示すフローチャートである。
【図５】この発明の第１実施形態に従うデジタルチャンネル受信中チャンネルダウン切替処理の流れを示すフローチャートである。
【図６】この発明の第１実施形態に従うアナログチャンネル受信中チャンネルダウン切替処理の流れを示すフローチャートである。
【図７】この発明の第２実施形態に従う放送受信装置の概略構成図である。
【図８】この発明の第２実施形態に従うチャンネル切替処理の流れを示すフローチャートである。
【図９】この発明の第２実施形態に従うデジタルチャンネル受信中チャンネルアップ切替処理の流れを示すフローチャートである。
【図１０】この発明の第２実施形態に従うアナログチャンネル受信中チャンネルアップ切替処理の流れを示すフローチャートである。
【図１１】この発明の第２実施形態に従うデジタルチャンネル受信中チャンネルダウン切替処理の流れを示すフローチャートである。
【図１２】この発明の第２実施形態に従うアナログチャンネル受信中チャンネルダウン切替処理の流れを示すフローチャートである。
【符号の説明】
【０２８８】
１，１Ａ  放送受信装置、１０，１２  デジタル制御部、１１，１３  アナログ制御部１０Ａ，１１Ａ，１２Ａ，１３Ａ  ＣＰＵ、１０Ｂ，１１Ｂ，１２Ｂ，１３Ｂ  メモリ、１６，１６Ａ  チューナ、１８  デジタル復調器、２０  アナログ復調器、２２  ＭＰＥＧデコーダ、２６，２６Ａ  リモコン受信部、３０  アンテナ、４０  モニタ、４２  リモコン。
【図１】
2006295696.tif 000005
【図２】
2006295696.tif 000006
【図３】
2006295696.tif 000007
【図４】
2006295696.tif 000008
【図５】
2006295696.tif 000009
【図６】
2006295696.tif 000010
【図７】
2006295696.tif 000011
【図８】
2006295696.tif 000012
【図９】
2006295696.tif 000013
【図１０】
2006295696.tif 000014
【図１１】
2006295696.tif 000015
【図１２】
2006295696.tif 000016